(57)【特許請求の範囲】
【請求項１】
半導体メモリと、書き込み／読み出し制御手段とを含んでおり、入力情報を上記半導体メモリに記憶する際に、上記書き込み／読み出し制御手段が、上記半導体メモリに書き込みのための制御信号を供給し、上記半導体メモリから記憶した情報を読み出す際には、通常の転送速度のｎ倍の転送速度で読み出せるように、上記書き込み／読み出し制御手段が、少なくとも上記入力情報を上記半導体メモリに記憶する際に用いる書き込み用の制御信号のｎ倍の速度の読み出し用の制御信号を上記半導体メモリに供給することにより、編集すべき情報を通常の再生速度のｎ倍の速度で再生して上記情報を通常の転送速度のｎ倍の転送速度で出力する高速再生部と、
上記高速再生部からの上記再生情報を記録或いは記憶する、記録或いは記憶部と、
上記記録或いは記憶部から読み出された情報に所定の信号処理を施す信号処理部と
上記信号処理部から出力され、上記記録或いは記憶部に記録或いは記憶された上記情報が通常の転送速度のｎ倍の転送速度で読み出されたときに、この読み出された情報を通常の記憶速度のｎ倍の速度で記録或いは記憶する高速記録或いは記憶部と、
上記高速再生部、上記記録或いは記憶部、上記信号処理部、上記高速記録或いは記憶部を制御する制御部と
を有し、
上記記録或いは記憶部を、上記通常の転送速度のｎ倍の転送速度の情報を複数個の情報に分割する第１のデマルチプレクサと、上記通常の転送速度の入力情報を複数個の情報に分割する第２のデマルチプレクサと、上記第１または第２のデマルチプレクサからの各複数個の情報を記録或いは記憶する記録或いは記憶手段と、上記記録或いは記憶手段から読み出された複数個の情報を選択的に出力するマトリクススイッチャと、上記記録或いは記憶手段から読み出された通常の転送速度のｎ倍の転送速度の複数個の情報を元の情報に変換して出力するマルチプレクサとで構成した
ことを特徴とする編集システム。
【請求項２】
上記第１及び第２のデマルチプレクサ、上記記録或いは記憶手段と上記マトリクススイッチャとの間を上記第１または第２のデマルチプレクサまたは上記記録または記憶手段からの情報の個数と同一の数のバスで接続し、上記バス上における入出力情報の時間的配分を制御する制御部を設けたことを特徴とする請求項１記載の編集システム。
【請求項３】
上記記録或いは記憶部の出力側及び上記信号処理部の入力側間に上記高速再生部からの通常速度のｎ倍の転送速度の情報を時間的に伸長する伸長手段と、上記記録或いは記憶部の入力側及び上記信号処理部の出力側或いは外部との間に上記信号処理部の出力或いは外部からの入力情報を時間的に圧縮する圧縮手段とを設けたことを特徴とする請求項１記載の編集システム。
【請求項４】
上記伸長手段を、上記記録或いは記憶部から読み出された通常の転送速度のｎ倍の転送速度の情報を記憶するバッファメモリ手段と、このバッファメモリ手段からの通常の転送速度の出力情報を変速再生処理する変速再生処理手段と、この変速再生処理手段からの出力情報を出力する出力手段と、上記制御部からの制御信号に基いて上記バッファメモリ手段、上記変速再生処理部を制御する再生制御通信手段とで構成したことを特徴とする請求項３記載の編集システム。
【請求項５】
上記圧縮手段を、上記信号処理部或いは外部からの通常の転送速度の情報を入力するための入力手段と、この入力手段からの出力情報を一時的に記憶するバッファメモリと、上記入力手段及び上記バッファメモリを制御する記録制御通信手段とで構成したことを特徴とする請求項３記載の編集システム。
【請求項６】
編集すべき情報を通常の再生速度のｎ倍の速度で再生して上記情報を通常の転送速度のｎ倍の転送速度で出力する高速再生部と、
上記高速再生部からの上記再生情報を記録或いは記憶する、記録或いは記憶部と、
上記記録或いは記憶部から読み出された情報に所定の信号処理を施す信号処理部と
半導体メモリと、書き込み／読み出し制御手段とを含んでおり、上記信号処理部から出力され、上記記録或いは記憶部に記録或いは記憶された上記情報が通常の転送速度のｎ倍の転送速度で読み出されて、この読み出された情報を上記半導体メモリに記憶する際に、上記書き込み／読み出し制御手段が、上記半導体メモリに書き込みのための制御信号を供給することにより、この通常の転送速度のｎ倍の転送速度で読み出された情報を通常の記憶速度のｎ倍の速度で記憶し、上記半導体メモリから記憶した情報を読み出す際には、通常の転送速度で読み出せるように、上記書き込み／読み出し制御手段が、少なくとも上記半導体メモリに情報を記憶する際に用いる書き込み用の制御信号の１／ｎ倍の速度の読み出し用の制御信号を上記半導体メモリに供給する高速記憶部と、
上記高速再生部、上記記録或いは記憶部、上記信号処理部、上記高速記憶部を制御する制御部と
を有し、
上記記録或いは記憶部を、上記通常の転送速度のｎ倍の転送速度の情報を複数個の情報に分割する第１のデマルチプレクサと、上記通常の転送速度の入力情報を複数個の情報に分割する第２のデマルチプレクサと、上記第１または第２のデマルチプレクサからの各複数個の情報を記録或いは記憶する記録或いは記憶手段と、上記記録或いは記憶手段から読み出された複数個の情報を選択的に出力するマトリクススイッチャと、上記記録或いは記憶手段から読み出された通常の転送速度のｎ倍の転送速度の複数個の情報を元の情報に変換して出力するマルチプレクサとで構成した
ことを特徴とする編集システム。
【請求項７】
上記第１及び第２のデマルチプレクサ、上記記録或いは記憶手段と上記マトリクススイッチャとの間を上記第１または第２のデマルチプレクサまたは上記記録または記憶手段からの情報の個数と同一の数のバスで接続し、上記バス上における入出力情報の時間的配分を制御する制御部を設けたことを特徴とする請求項６記載の編集システム。
【請求項８】
上記記録或いは記憶部の出力側及び上記信号処理部の入力側間に上記高速再生部からの通常速度のｎ倍の転送速度の情報を時間的に伸長する伸長手段と、上記記録或いは記憶部の入力側及び上記信号処理部の出力側或いは外部との間に上記信号処理部の出力或いは外部からの入力情報を時間的に圧縮する圧縮手段とを設けたことを特徴とする請求項６記載の編集システム。
【請求項９】
上記伸長手段を、上記記録或いは記憶部から読み出された通常の転送速度のｎ倍の転送速度の情報を記憶するバッファメモリ手段と、このバッファメモリ手段からの通常の転送速度の出力情報を変速再生処理する変速再生処理手段と、この変速再生処理手段からの出力情報を出力する出力手段と、上記制御部からの制御信号に基いて上記バッファメモリ手段、上記変速再生処理部を制御する再生制御通信手段とで構成したことを特徴とする請求項８記載の編集システム。
【請求項１０】
上記圧縮手段を、上記信号処理部或いは外部からの通常の転送速度の情報を入力するための入力手段と、この入力手段からの出力情報を一時的に記憶するバッファメモリと、上記入力手段及び上記バッファメモリを制御する記録制御通信手段とで構成したことを特徴とする請求項８記載の編集システム。
【発明の詳細な説明】
【０００１】
【産業上の利用分野】
本発明は、例えばＶＴＲを用いた編集システム等に適用して好適な編集方法及び編集システムに関する。
【０００２】
【従来の技術】
従来、例えば放送局では、放送すべき素材を編集してビデオテープカセットに記録する作業が行われている。例えば複数のコマーシャル（ＣＭ）素材を１本のビデオテープカセットに編集して収録し、いわゆるＣＭ１本化テープを作成する作業、１つの番組で用いる素材をビデオテープカセットに編集して収録する放送用（送出用）の編集作業等がこれに相当する。
【０００３】
通常、元の素材の収録されているビデオテープカセットを素材テープ等と称している。この素材テープとしてのビデオテープカセットをＶＴＲで再生し、再生信号に各種信号処理を行い、この信号処理を行って得られた素材信号を放送用に使用するビデオテープカセットに収録して放送用のビデオテープカセットを作成する。
【０００４】
さて、図１８は、従来の編集システムの一例を示す構成図であり、以下、この図１８を参照して従来の編集システムについて説明する。
【０００５】
図１８において、１は素材テープとしてのビデオテープカセット、１３は放送用のビデオテープカセットである。素材テープとしてのビデオテープカセット１は再生側ＶＴＲ２にセットされて再生され、放送用のビデオテープカセット１３は記録側ＶＴＲにセットされ、ＤＭＥ（ディジタル・マルチ・エフェクタ）７からの出力が記録される。この例ではＤＭＥ７を用いた例を示しているが、単純に放送用のテープを作成するだけであれば、編集機を用いたシステムでも良いし、また、再生側ＶＴＲ２と記録側ＶＴＲ８を接続したものでも良い。
【０００６】
つまり、この図１８に示すシステムでは、再生側ＶＴＲ２で素材テープとしてのビデオテープカセット１が再生され、その再生信号に対してＤＭＥ７で特殊効果処理が施され、この特殊効果処理が施された再生信号が記録側ＶＴＲ８にセットされた放送用のビデオテープカセット１３に記録される。
【０００７】
また、この図１８に示す再生側ＶＴＲ２は再生ヘッド３がヘッド切り換え用のスイッチ５の一方の固定接点５ａに接続され、再生ヘッド４がヘッド切り換え用のスイッチ５の他方の固定接点５ｂに接続され、ＶＴＲ本体６の図示しないシステムコントローラからのスイッチング信号によってスイッチ５の可動接点５ｃが一方または他方の固定接点５ａまたは５ｂに選択的に接続されるようになっている。
【０００８】
この再生側ＶＴＲ２がアナログＶＴＲでもディジタルＶＴＲでも、再生側ＶＴＲ２から出力される映像および音声信号は、ＮＴＳＣ方式の場合においては６０フィールド／秒、ＰＡＬ方式の場合においては５０フィールド／秒を基準とした転送速度でＤＭＥ７に供給される。アナログＶＴＲで説明すると、再生側ＶＴＲ２から出力される映像信号はＮＴＳＣ方式で６０フィールド／秒、ＰＡＬ方式で５０フィールド／秒の転送速度となる。尚、この例では、ＤＭＥ７の入力端子として、アナログ映像及び音声入力端子、ディジタル映像及び音声入力端子を有しているものとしている。
【０００９】
そして、ＤＭＥ７においては、再生側ＶＴＲ２からの映像信号に対し、特殊効果、例えばモザイク効果、画像の移動、縮小、拡大、回転等の様々な処理が施される。この処理は例えばＮＴＳＣ方式であれば６０フィールド／秒、ＰＡＬ方式では５０フィールド／秒を基準として行われる。このＤＭＥ７の出力は記録側ＶＴＲ８に供給され、この記録側ＶＴＲ８のＶＴＲ本体１２においてアナログ、或いはディジタルでの所定の記録のための信号処理が施された後にセットされているビデオテープカセット１３に記録される。
【００１０】
記録側ＶＴＲ８も再生側ＶＴＲ２と同様に、記録ヘッド９がヘッド切り換え用のスイッチ１１の一方の固定接点１１ａに接続され、記録ヘッド１０がヘッド切り換え用のスイッチ１１の他方の固定接点１１ｂに接続されている。そして、スイッチ１１はＶＴＲ本体１２に図示しないシステムコントローラから供給されるスイッチング信号によって可動接点１１ｃが一方または他方の固定接点１１ａまたは１１ｂに選択的に接続される。この記録も上述と同様のタイミング、即ち、ＮＴＳＣ方式では６０フィールド／秒、ＰＡＬ方式では５０フィールド／秒を基準として行われる。
【００１１】
尚、本出願人は先に、所定単位の画像データの第１及び第２のポイントを表示手段に表示し、表示手段上に表示された所定単位の第１及び第２のポイントの画像データを指定手段で指定し、指定手段に指定された第１または第２のポイントの画像データのタイムコードデータ、関連する機器の状態、識別番号を制御手段により表示することで、編集効率を向上させると共に、使い勝手を向上させることができるようにした編集装置、例えば画面上に表示したエディット単位の画像データをポインティングデバイスやキーボードを用いて削除、コピー、移動、位置交換することにより、エディットファイルＥＤＬ１〜ＥＤＬｎの内容を変更できるようにしたので、複数のＶＴＲを再生して再チェックしたり、キーボード等で記憶アドレス等を確認し、これを入力したりする等の煩わしい作業を一切行うことなく編集作業ができ、これによって、編集作業の効率化を図ることができようにした編集装置を提案している（特願平５−８７４１３号参照）。
【００１２】
【発明が解決しようとする課題】
ところで、上述のように、従来では、編集システム内における映像信号の転送速度は、ＮＴＳＣ方式の場合では６０フィールド／秒、ＰＡＬ方式の場合では５０フィールド／秒と、映像信号の転送速度は映像信号のフィールド周波数、或いはフレーム周波数を基準としたものとなる。
【００１３】
図１８に示すような編集システムの例で説明すると、再生側ＶＴＲ２ではビデオテープカセット１に収録されている素材を再生して６０フィールド秒で映像信号を出力し、この６０フィールド／秒の映像信号がＤＭＥ７で６０フィールド秒を基準として処理され、この処理された６０フィールド秒の映像信号が記録側ＶＴＲ８にセットされているビデオテープカセット１３に記録されることになる。
【００１４】
つまり、図１８に示したように従来の編集システムは、必ず映像信号のフィールド或いはフレーム周波数で一義的に転送速度が決められてしまうので、映像信号（勿論音声信号も）を編集して、編集結果としてのビデオテープカセット１３を得るために、非常に膨大な時間を費やす必要が生じていた。特に、編集過程において、ＤＭＥ７（或いはスイッチャ等）を操作して再生映像信号に所望の加工を施す処理過程以外の処理過程、即ち、編集作業を行うオペレータが直接関係しない、再生、転送、記録等（オペレータがＤＭＥ７のように操作して処理するものではないからである）でよけいな時間が費やされることは、編集作業効率を悪化させている原因ともなっている。
【００１５】
逆をいえば、オペレータが直接操作して処理を行うＤＭＥ７における処理時間は長くても良いが、再生側ＶＴＲ２での再生、再生側ＶＴＲ２からＤＭＥ７への再生信号の転送、ＤＭＥ７から記録側ＶＴＲ８への処理信号の転送、記録側ＶＴＲ８における記録等に費やされる時間は短い方がより編集処理に費やされる時間を短くすることができる。しかしながら、現状では、上述したように、全ての処理が映像信号のフィールド或いはフレーム周波数を基準として行われているので、編集作業に費やされる時間を短縮し、オペレータに操作し易い良好な編集環境を提供することができないでいる。
【００１６】
また、オペレータがもしもＤＭＥ７を用いて処理を行い、その処理結果としての映像信号を記録側ＶＴＲ８に記録した後に、ＤＭＥ７による処理を再度行う必要があると判断した場合は、再生側ＶＴＲ２にセットされているビデオテープカセット１を元のテープ位置にすると共に、記録側ＶＴＲ８にセットされているビデオテープカセット１３を元のテープ位置にし、この後、再生側ＶＴＲ２を再生状態にすると共に記録側ＶＴＲ８を記録状態にし、再度ＤＭＥ７を操作して編集処理をやり直さなければならなくなる。これは編集における作業効率を大幅に悪化させることになる。しかしながら、記録媒体をビデオテープカセットとしているので、このように作業効率の悪い編集処理のやり直し作業は避けられないものであり、現状では、このような問題を解決できないでいる。また、何度もやり直しを行うと、それだけ貴重な素材テープにダメージを与える可能性がある。
【００１７】
また、もしも、２つの素材の混合、切り換えを行って編集するような場合においては、図１８に示す編集システムに更にもう１台の再生側ＶＴＲ２を追加しなければならず、同時に使用する素材の数が増えれば増えるだけ再生側ＶＴＲ２を増やさなければならなくなる。
【００１８】
また、図１８に示したような編集システムでは、再生側ＶＴＲ２で再生した再生信号をＤＭＥ７で処理し、ＤＭＥ７で処理した信号を記録側ＶＴＲ８に記録するという方法を採用しているので、編集を行ってその結果をビデオテープカセットに記録するという作業を１つのビデオテープカセットに複数回行うことになり、この場合は図１８に示したビデオテープカセット１３上には、前の記録処理で形成された磁気トラックと現時点の記録処理で形成された磁気トラックからなる編集ポイントが多数形成されることになる。そして、この編集ポイント（或いは前の記録部分と現時点の記録部分からなる継ぎ目部分）が存在するために、この多数の編集ポイントが存在するビデオテープカセット１３を再生した場合、その編集ポイントで例えば画乱れ等を引き起こしたり、再生画像に編集ポイントの影響が現れたりする可能性が高くなる。
【００１９】
本発明はこのような点を考慮してなされたもので、編集システムの構成要素を簡易にし、編集作業を簡単、且つ、効率良くし、しかも編集して作成したビデオテープカセットを再生したときに、その再生画像に編集ポイントに起因する影響が現れることを防止することのできる編集方法及びシステムを提案しようとするものである。
【００２０】
【課題を解決するための手段】
本発明編集システム（第１の編集システム）は、半導体メモリ１５５と、書き込み／読み出し制御手段１５６とを含んでおり、入力情報を半導体メモリ１５５に記憶する際に、書き込み／読み出し制御手段１５６が、半導体メモリ１５５に書き込みのための制御信号を供給し、半導体メモリ１５５から記憶した情報を読み出す際には、通常の転送速度のｎ倍の転送速度で読み出せるように、書き込み／読み出し制御手段１５６が、少なくとも入力情報を半導体メモリ１５５に記憶する際に用いる書き込み用の制御信号のｎ倍の速度の読み出し用の制御信号を半導体メモリ１５５に供給することにより、編集すべき情報を通常の再生速度のｎ倍の速度で再生して情報を通常の転送速度のｎ倍の転送速度で出力する高速再生部２１と、この高速再生部２１からの再生情報を記録或いは記憶する、記録或いは記憶部２２と、この記録或いは記憶部２２から読み出された情報に所定の信号処理を施す信号処理部２５と、この信号処理部２５から出力され、記録或いは記憶部２２に記録或いは記憶された情報が通常の転送速度のｎ倍の転送速度で読み出されたときに、この読み出された情報を通常の記録或いは記憶速度のｎ倍の速度で記録或いは記憶する高速記録或いは記憶部２６と、高速再生部２１、記録或いは記憶部２２、信号処理部２５、高速記録或いは記憶部２６を制御する制御部２８とを有し、この記録或いは記憶部２２を、通常の転送速度のｎ倍の転送速度の情報を複数個の情報に分割する第１のデマルチプレクサ６１と、通常の転送速度の入力情報を複数個の情報に分割する第２のデマルチプレクサ７５と、第１または第２のデマルチプレクサ６１，７５からの各複数個の情報を記録或いは記憶する記録或いは記憶手段７８−１〜７８−ｍと、記録或いは記憶手段７８−１〜７８−ｍから読み出された複数個の情報を選択的に出力するマトリクススイッチャ６５と、記録或いは記憶手段７８−１〜７８−ｍから読み出された通常の転送速度のｎ倍の転送速度の複数個の情報を元の情報に変換して出力するマルチプレクサ８１とで構成したものである。
また本発明編集システム（第２の編集システム）は、編集すべき情報を通常の再生速度のｎ倍の速度で再生して情報を通常の転送速度のｎ倍の転送速度で出力する高速再生部２１と、この高速再生部２１からの再生情報を記録或いは記憶する、記録或いは記憶部２２と、この記録或いは記憶部２２から読み出された情報に所定の信号処理を施す信号処理部２５と、半導体メモリ１５５と、書き込み／読み出し制御手段１５６とを含んでおり、信号処理部２５から出力され、記録或いは記憶部２２に記録或いは記憶された情報が通常の転送速度のｎ倍の転送速度で読み出されて、この読み出された情報を半導体メモリ１５５に記憶する際に、書き込み／読み出し制御手段１５６が、半導体メモリ１５５に書き込みのための制御信号を供給することにより、この読み出された情報を通常の記憶速度のｎ倍の速度で記憶し、半導体メモリ１５５から記憶した情報を読み出す際には、通常の転送速度で読み出せるように、書き込み／読み出し制御手段１５６が、少なくとも半導体メモリ１５５に情報を記憶する際に用いる書き込み用の制御信号の１／ｎ倍の速度の読み出し用の制御信号を半導体メモリ１５５に供給する高速記憶部２６と、高速再生部２１、記録或いは記憶部２２、信号処理部２５、高速記録或いは記憶部２６を制御する制御部２８とを有し、この記録或いは記憶部２２を、通常の転送速度のｎ倍の転送速度の情報を複数個の情報に分割する第１のデマルチプレクサ６１と、通常の転送速度の入力情報を複数個の情報に分割する第２のデマルチプレクサ７５と、第１または第２のデマルチプレクサ６１，７５からの各複数個の情報を記録或いは記憶する記録或いは記憶手段７８−１〜７８−ｍと、記録或いは記憶手段７８−１〜７８−ｍから読み出された複数個の情報を選択的に出力するマトリクススイッチャ６５と、記録或いは記憶手段７８−１〜７８−ｍから読み出された通常の転送速度のｎ倍の転送速度の複数個の情報を元の情報に変換して出力するマルチプレクサ８１とで構成したものである。
【００２８】
更に本発明編集システムは上述において、記録或いは記憶部２２を、通常の転送速度のｎ倍の転送速度の情報をｎ個の情報に分割する第１のデマルチプレクサ６１と、通常の転送速度の入力情報をｎ個の情報に分割する第２のデマルチプレクサ７５と、第１または第２のデマルチプレクサ６１、７５からの各ｎ個の情報を記録或いは記憶する記録或いは記憶手段７８−１、７８−２、・・・・７８−ｍ、８０−１、８０−２、・・・・８０−ｍと、記録或いは記憶手段から読み出された複数個の情報を選択的に出力するマトリクススイッチャ６５と、記録或いは記憶手段７８−１、７８−２、・・・・７８−ｍ、８０−１、８０−２、・・・・８０−ｍから読み出された通常の転送速度のｎ倍の転送速度のｎ個の情報を元の情報に変換して出力するマルチプレクサ８１とで構成したものである。
【００２９】
更に本発明編集システムは上述において、第１及び第２のデマルチプレクサ６１及び７５、記録或いは記憶手段７８−１、７８−２、・・・・７８−ｍ、８０−１、８０−２、・・・・８０−ｍとマトリクススイッチャ６５との間を第１または第２のデマルチプレクサ６１及び７５または記録或いは記憶手段７８−１、７８−２、・・・・７８−ｍ、８０−１、８０−２、・・・・８０−ｍからの情報の個数と同一の数のバス６２−１、６２−２、・・・・６２−ｍで接続し、バス６２−１、６２−２、・・・・６２−ｍ上における入出力情報の時間的配分を制御する制御部６４、７６を設けたものである。
【００３１】
更に本発明編集システムは上述において、記録或いは記憶部２２の出力側及び信号処理部２５の入力側間に高速再生部からの通常速度のｎ倍の転送速度の情報を時間的に伸長する伸長手段２３−１、２３−２、・・・・２３−ｋと、記録或いは記憶部２２の入力側及び信号処理部の出力側或いは外部との間に信号処理部の出力或いは外部からの入力情報を時間的に圧縮する圧縮手段２４とを設けたものである。
【００３２】
更に本発明編集システムは上述において、伸長手段２３−１、２３−２、・・・・２３−ｋを、記録或いは記憶部２２から読み出された通常の転送速度のｎ倍の転送速度の情報を記憶するバッファメモリ手段９１−１、９１−２、・・・・９１−ｎ、９２−１、９２−２、・・・・９２−ｎ、９４と、このバッファメモリ手段９１−１、９１−２、・・・・９１−ｎ、９２−１、９２−２、・・・・９２−ｎ、９４からの通常の転送速度の出力情報を変速再生処理する変速再生処理手段９６、９７と、この変速再生処理手段９６、９７からの出力情報を出力する出力手段１０２、１０４、９８、１００と、制御部２７からの制御信号に基いてバッファメモリ手段９１−１、９１−２、・・・・９１−ｎ、９２−１、９２−２、・・・・９２−ｎ、９４、変速再生処理部９６、９７を制御する再生制御通信手段１０７とで構成したものである。
【００３４】
更に本発明編集システムは上述において、圧縮手段を、信号処理部２５或いは外部からの通常の転送速度の情報を入力するための入力手段１１１、１１３、１１６、１１８と、この入力手段１１１、１１３、１１６、１１８からの出力情報を一時的に記憶するバッファメモリ１２１と、入力手段１１１、１１３、１１６、１１８及びバッファメモリ１２１を制御する記録制御通信手段１２４とで構成したものである。
【００３６】
【作用】
上述せる本発明編集システムの構成によれば、高速再生部２１により、編集すべき情報を通常の再生速度のｎ倍の速度で再生して情報を通常の転送速度のｎ倍の転送速度で出力し、この高速再生部２１からの再生情報を記録或いは記憶部２２で記録或いは記憶し、この記録或いは記憶部２２から読み出された情報に信号処理部２５で所定の信号処理を施し、この信号処理部２５から出力され、記録或いは記憶部２２に記録或いは記憶された情報が通常の転送速度のｎ倍の転送速度で読み出されたときに、この読み出された情報を高速記録或いは記憶部２６で通常の記録或いは記憶速度のｎ倍の速度で記録或いは記憶し、記録或いは記憶部２２、信号処理部２５、高速記録或いは記憶部２６を制御部２８で制御する。これによって、情報を編集する際に、編集すべき情報を再生し、その再生情報を転送する速度及び編集の後に転送し、記録する速度を大幅に向上させることができる。
更に本発明の第１の編集システムの構成によれば、半導体メモリを用いた場合においても、編集すべき情報の再生、転送を通常のｎ倍の速度で行うことができる。
更に本発明の第２の編集システムの構成によれば、半導体メモリを用いた場合においても、編集済み情報の記録、転送を通常の速度のｎ倍の速度で行うことができ、編集済み情報の再生時には、通常の速度の再生信号を得ることができる。
【００４４】
更に上述において本発明編集システムの構成によれば、通常の転送速度のｎ倍の転送速度の情報を第１のデマルチプレクサ６１でｎ個の情報に分割し、通常の転送速度の入力情報を第２のデマルチプレクサ７５でｎ個の情報に分割し、第１または第２のデマルチプレクサ６１、７５からの各ｎ個の情報を記録或いは記憶手段７８−１、７８−２、・・・・７８−ｍ、８０−１、８０−２、・・・・８０−ｍで記録或いは記憶し、記録或いは記憶手段から読み出された複数個の情報をマトリクススイッチャ６５で選択的に出力し、この記録或いは記憶手段７８−１、７８−２、・・・・７８−ｍ、８０−１、８０−２、・・・・８０−ｍから読み出された通常の転送速度のｎ倍の転送速度のｎ個の情報をマルチプレクサ８１で元の情報に変換して出力する。これによって、通常の転送速度のｎ倍の転送速度の情報を記録或いは記憶し、記録或いは記憶した通常の転送速度のｎ倍の転送速度の情報を読み出し、通常の転送速度のｎ倍の転送速度の情報を出力することができる。
【００４５】
更に上述において本発明編集システムの構成によれば、第１のデマルチプレクサ６１、記録或いは記憶手段７８−１、７８−２、・・・・７８−ｍ、８０−１、８０−２、・・・・８０−ｍとマトリクススイッチャ６５との間を第１または第２のデマルチプレクサ６１及び７５、記録或いは記憶手段７８−１、７８−２、・・・・７８−ｍ、８０−１、８０−２、・・・・８０−ｍからの情報の個数と同一の数のバス６２−１、６２−２、・・・・６２−ｍで接続し、バス６２−１、６２−２、・・・・６２−ｍ上における入出力情報の時間的配分を制御部６４、７６で制御する。これによって、記録或いは記憶部２２における記録或いは記憶、読み出し等を効率良く行うことができる。
【００４８】
更に上述において本発明編集システムの構成によれば、記録或いは記憶部２２の出力側及び信号処理部２５の入力側間に設けた伸長手段２３−１、２３−２、・・・・２３−ｋにより、高速再生部２１からの通常速度のｎ倍の転送速度の情報を時間的に伸長し、記録或いは記憶部２２の入力側及び信号処理部の出力側或いは外部との間に設けた圧縮手段で信号処理部の出力或いは外部からの入力情報を時間的に圧縮する。これによって、記録或いは記憶部２２に記録或いは記憶した通常速度のｎ倍の転送速度の情報を信号処理部２５で使用できるように出力でき、記録或いは記憶部２２から通常の転送速度のｎ倍の転送速度で情報を出力し、高速記録或いは記憶部２６に供給し、高速記録或いは記憶させることができる。
【００４９】
更に上述において本発明編集システムの構成によれば、記録或いは記憶部２２から読み出された通常の転送速度のｎ倍の転送速度の情報をバッファメモリ手段９１−１、９１−２、・・・・９１−ｎ、９２−１、９２−２、・・・・９２−ｎ、９４に記憶し、このバッファメモリ手段９１−１、９１−２、・・・・９１−ｎ、９２−１、９２−２、・・・・９２−ｎ、９４からの通常の転送速度の出力情報を変速再生処理手段９６、９７で変速再生処理し、この変速再生処理手段９６、９７からの出力情報を出力手段１０２、１０４、９８、１００で出力し、制御部２７からの制御信号に基いて再生制御通信手段１０７がバッファメモリ手段９１−１、９１−２、・・・・９１−ｎ、９２−１、９２−２、・・・・９２−ｎ、９４、変速再生処理部９６、９７を制御する。これによって、記録或いは記憶部２２に記録或いは記憶されている通常の転送速度のｎ倍の転送速度の情報を通常の転送速度で出力できる。
【００５１】
更に上述において本発明編集システムの構成によれば、信号処理部２５或いは外部からの通常の転送速度の情報を入力手段１１１、１１３、１１６、１１８で入力し、この入力手段１１１、１１３、１１６、１１８からの出力情報をバッファメモリ１２１に一時的に記憶し、入力手段１１１、１１３、１１６、１１８及びバッファメモリ１２１を記録制御通信手段１２４で制御する。これによって、記録或いは記憶部２２に記録或いは記憶されている通常の転送速度の情報を通常の転送速度のｎ倍の転送速度で出力することができる。
【００５３】
【実施例】
以下に、図１を参照して本発明編集方法及びシステムの一実施例について詳細に説明する。先ず、図１に示す高速転送機２１及び２６をＶＴＲで構成した場合を例にとり説明する。
【００５４】
［第１実施例］
【００５５】
この図１において、２０は例えば編集すべき素材が収録されているいわゆる素材メディアとしてのビデオテープカセットであり、このビデオテープカセット２０を高速転送機２１にセットする。高速転送機２１の具体的内部構成例は図２を参照して後述するが、この高速転送機２１をＶＴＲとした場合、記録または記憶媒体２０はビデオテープカセットとなる。この高速転送機２１をＶＴＲとした場合は、この高速転送機２１は、後述する制御部２７からの再生制御信号Ｐｃに基いて、記録または記憶媒体２０に記録されている映像及び音声信号を多数のヘッドで高速に走査して再生し、通常のｎ倍の転送速度で再生した映像及び音声信号の転送を行う。
【００５６】
つまり、ＮＴＳＣ方式の場合、通常のテープ走行速度のｎ倍の速度で走行させているテープを、通常の回転速度のｎ倍の回転速度で回転させている回転ドラム上に登載した通常の個数のヘッドで走査することにより、通常の転送速度のｎ倍の転送速度で再生映像及び音声信号を転送する。
【００５７】
この高速転送機２１で結果的に時間軸が圧縮されて出力されることにより、通常の転送速度のｎ倍とされた再生映像及び音声信号４８ｐは一時記録または記憶装置２２に供給される。この場合、この再生映像及び音声信号４８ｐはディジタル映像及び音声データであるが、アナログ映像及び音声信号でも良い。アナログ映像及び音声信号（つまり、図１の高速転送機２１をアナログＶＴＲとした場合）とする場合は、当然、これらアナログ映像及び音声信号を一旦Ａ−Ｄコンバータでディジタルデータにしなければならない。
【００５８】
ディジタルフォーマットとしては、例えばコンポーネントディジタル方式のＤ１フォーマット、コンポジットディジタル方式のＤ２フォーマット、或いは圧縮符号化を用いたコンポーネント或いはコンポジットディジタル方式等のフォーマット等各種ディジタルフォーマットを使用することができる。
【００５９】
この一時記録または記憶装置２２は、高速転送機２１からの通常の転送速度のｎ倍とされた再生映像及び音声信号４８ｐを、後述する制御部２７からの高速記録再生制御信号ＦＰｃに基いて記録エリアＡｒ１に高速に記録する。ここで、この一時記録または記憶装置２２で用いる記録媒体としては、光ディスク（光磁気ディスク、ライトワンスの光ディスク、相変化メディアとしての光ディスク）、ハードディスク（固定型であっても着脱自在のリムーバルタイプでも良い）、いわゆるシリコンディスク（半導体メモリを媒体とする）或いは１枚のディスク上に少なくとも２０ＭＢｙｔｅ以上情報を記録できるフレキシブルディスクを用いることが可能である。
【００６０】
現時点においては、アクセスが速く、且つ、単位容量あたりのコストの安価なハードディスクを用いるのが良いであろう。しかしながら、アクセスを最も高速にするという点から考えると、シリコンディスクが良い。
【００６１】
一時記録または記憶装置２２のエリアＡｒ１が例えば複数のディスクと１つのヘッドからなる複数のユニットで構成されているか、或いは１つのディスクと複数のヘッドからなるユニットで構成されているか、或いは１つのディスクと１つのヘッドと出力用のメモリで構成されている場合は、記録されている複数の素材を同時に再生することができる。
【００６２】
つまり、一時記録または記憶装置２２は、一時記録または記憶装置２２のエリアＡｒ１に１つ或いは複数の素材を記録または記憶し、エリアＡｒ１に記録または記憶した１つの素材を再生或いは複数の素材を同時に再生することができる。
【００６３】
また、図に示すように、この一時記録または記憶装置２２は高速転送され記録された映像及び音声データを読み出し時に６０フィールド／秒にして出力する出力インターフェース回路２３−１、２３−２、・・・・２３−ｋを有する。この出力インターフェース回路２３−１、２３−２、・・・・２３−ｋは、後述するＤＭＥ（ディジタル・マルチ・エフェクタ）や音声ミクサ等からなる映像特殊効果ミクサ２５において処理ができるようにするために必要とされるものである。つまり、同時にエリアＡｒ１から再生された複数の素材は図１に示した出力インターフェース回路２３−１、２３−２、・・・・２３−ｋを介して６０フィールド／秒で出力され、映像特殊効果ミクサ２５に供給される。
【００６４】
また、図に示すように、この一時記録または記憶装置２２は映像特殊効果ミクサ２５からの６０フィールド／秒の転送速度の処理済みの映像及び音声データ或いは外部からの映像及び音声データを再び一時記録または記憶装置２２のエリアＡｒ２に記録または記憶するための入力インターフェース回路２４を有する。この入力インターフェース回路２４は、映像特殊効果ミクサ２５からの通常の転送速度の映像及び音声データや外部からの映像及び音声データを一時記録または記憶装置２２のエリアＡｒ２に記録するために必要なものである。
【００６５】
さて、この一時記録または記憶装置２２に高速転送機２１から供給されて高速に記録された映像及び音声データは制御部２７からの高速記録再生制御信号ＦＰｃによって高速に読み出され、再生映像及び音声データにその時点で割り当てられている出力インターフェース回路２３−１、２３−２、・・・・または２３−ｋに供給される。
【００６６】
出力インターフェース回路２３−１、２３−２、・・・・または２３−ｋに供給された映像及び音声データは、制御部２７からの通常速度（ＮＴＳＣ方式の場合再生映像信号が出力時に６０フィールド／秒となる速度）のｋチャンネル分の再生制御信号ＮＰｃに基いて６０フィールド／秒で出力され、映像特殊効果ミクサ２５に夫々供給される。
【００６７】
この映像特殊効果ミクサ２５は、既に説明したが、例えばＤＭＥ、スイッチャ、音声ミクサからなるものであり、出力インターフェース回路２３−１、２３−２、・・・・２３−ｋからの各映像及び音声データ、或いは出力インターフェース回路２３−１、２３−２、・・・・または２３−ｋからの映像及び音声データの内、映像データについては映像特殊効果処理を施し、音声データについては音声ミクサによる処理を施す。これら映像及び音声に対する処理は制御部２７からの効果制御信号Ｅｃに基いて行われる。
【００６８】
この映像特殊効果ミクサ２５からの各種処理された６０フィールド／秒の出力は、再び一時記録または記憶装置２２に供給され、このときには６０フィールド／秒で図１に示すエリアＡｒ２に記録される。記録された映像及び音声データは制御部２７からの高速記録再生制御信号ＦＰｃに基いて高速に読み出され、図に示すように、高速に読み出された映像及び音声データ３１ｒとして６０フィールド／秒のｎ倍の転送速度で高速転送機２６に供給される。
【００６９】
この高速転送機２６の具体的内部構成例は図２を参照して後述するが、この高速転送機２６をＶＴＲとした場合、この高速転送機２６は、後述する制御部２７からの記録制御信号Ｒｃに基いて、ビデオテープカセット２９に供給された映像及び音声データ３１ｒを高速に記録する。
【００７０】
ＮＴＳＣ方式の場合、通常のテープ走行速度のｎ倍の速度で走行させているテープを通常の回転速度のｎ倍の回転速度で回転させた回転ドラムに搭載した通常の個数の記録／再生ヘッドで順次に走査することにより、通常の速度のｎ倍の速度で映像及び音声信号を記録する。この記録速度は通常（ＮＴＳＣ方式の場合では６０フィールド／秒、ＰＡＬ方式では５０フィールド／秒）のｎ倍となる。
【００７１】
この高速転送機２６で再生を行う場合には、通常の再生速度で再生する。そして結果的に時間軸が伸長されて（記録時に対して）出力されることにより、６０フィールド／秒の映像及び音声信号としてディジタル或いはアナログで出力される。もし、この編集システムが送出システム等と接続されている場合は、６０フィールド／秒で出力される映像及び音声信号が送出システムの制御系の制御の元に、マスタスイッチャを介して送信機に供給され、この送信機のアンテナから電波として送出されることになる。この場合の再生映像及び音声信号はディジタル映像及び音声データであるが、アナログ映像及び音声信号でも良い。
【００７２】
上述した編集システムは、図１に示す操作部２８の操作に基いて制御部２７が上述したような各種制御信号を高速転送機２１、一時記録または記憶装置２２、映像特殊効果ミクサ２５及び高速転送機２６に供給することによって行われる。操作部２８は図示せずも高速転送機２１及び２６、一時記録または記憶装置２２、映像特殊効果ミクサ２５を直接操作することのできる操作キー、一時記録または記憶装置２２に記録した映像及び音声データの読み出し方法の設定等を行うための各種キー、編集情報や編集メニューや高速転送機２１及び２６からのタイムコードを時、分、秒、フレームで表示するための表示部を備えるものとする。
【００７３】
ここで、上述した編集システムの編集過程について、オペレータによる操作部２８の操作、この操作による制御部２７の制御、この制御による各構成要素の動作を念頭に入れて説明する。
【００７４】
先ず、オペレータは素材メディアとしてのビデオテープカセット２０を高速転送機２１にローディングさせる。この後、オペレータが操作部２８または高速転送機２１の図示しない操作キーや操作パネルを操作することにより、編集で用いる素材カット（１つの素材として使用する１つ或いは連続した画像及び音声データ）を探す。
【００７５】
再生中に使用する素材カットの先頭を決定した場合に、オペレータは例えば操作部２７或いは高速転送機２１の操作キーを押圧、或いは、そのときに操作部２８或いは高速転送機２１の表示部に表示されたタイムコードを電子的、或いは紙等にメモし、同様に再生中に使用する素材カットの最後の部分を決定した場合に、オペレータは例えば操作部２７或いは高速転送機２１の操作キーを押圧、或いは、そのときに操作部２８或いは高速転送機２１の表示部に表示されたタイムコードを電子的、或いは紙等にメモする。
【００７６】
電子的にメモ、例えば操作キーを押す等した場合は、制御部２７の図示しないメモリに素材カットの先頭及び最後のタイムコード（以下、開始タイムコード、終了タイムコードと記述する）が記憶される。紙等にメモした場合は、オペレータが操作部２８の操作キーを介してメモしたタイムコードを入力することになる。何れの方法を用いても、素材の開始タイムコード及び終了タイムコードは制御部２７のメモリに記憶されることになる。
【００７７】
ビデオテープカセット２０のテープ位置を素材の開始タイムコードの位置にする処理は、オペレータが高速転送機２１を操作して手動で行っても良いし、また、オペレータが操作部２８の操作キーを操作した場合に、制御部２７が高速転送機２１に対して巻戻し或いは早送り制御を行い、このときに高速転送機２１から供給されるタイムコードが保持している開始タイムコードと一致するように制御しても良い。また、タイムコードとしては、ＶＩＴＣ（Ｖｅｒｔｉｃａｌ Ｉｎｔｅｒｖａｌ Ｔｉｍｅ Ｃｏｄｅ）でも、ＬＴＣ（ＬｏｎｇｉｔｕｄｉｎａｌＴｉｍｅ Ｃｏｄｅ）でも良い。
【００７８】
素材の開始タイムコード及び終了タイムコードが制御部２７のメモリに記憶された後に、例えばオペレータが図示しない操作部２８の編集開始を指示するための操作キーを操作すると、制御部２７が高速転送機２１に再生制御信号Ｐｃを供給すると共に、一時記録または記憶装置２２に高速記録再生制御信号ＦＰｃを供給する。高速転送機２１は制御部２７から再生制御信号Ｐｃが供給されると、セットされているビデオテープカセット２０に記録されている映像及び音声信号を高速に再生する。上述したように、高速転送機２１が通常のテープ走行速度のｎ倍で走行されているテープを、通常の回転速度のｎ倍の回転速度で回転する回転ドラムに登載している通常の個数の記録／再生ヘッドで走査することにより、再生映像及び音声信号は、６０フィールド／秒のｎ倍の速度で一時記録または記憶装置２２に転送される。
【００７９】
これによって、通常の転送速度のｎ倍の転送速度で転送された映像及び音声信号は一時記録または記憶装置２２のエリアＡｒ１に記録または記憶される。尚、編集開始を示す操作部２８の操作キーを操作せずに、マニュアル操作、つまり、高速転送機２１を手動で再生させ、その再生信号をテレビジョンモニタ等に供給してその管面上に映出させ、その映像をモニタしながら一時記録または記憶装置２２に操作部２８の操作によってマニュアルで記録することもできる。勿論モニタしながらのマニュアル操作（記録開始、記録終了）となるので、この場合の高速転送機２１の出力の転送速度は６０フィールド／秒であることが必要である。
【００８０】
尚、ビデオテープカセット２０以外の素材、例えばカメラ映像、グラフィックス等の静止画素材、アナウンスやバックグラウンド音楽等の音声素材は、操作部２８の操作によって、一時記録または記憶装置２２の図示しない外部入力端子から一時記録または記憶装置２２のエリアＡｒ１に記録または記憶し、他の素材と同様に編集に用いる。これらの外部からの素材と、ビデオテープカセット２０を再生して得られた素材の一時記録または記憶装置２２への記録はどちらが先であっても良い。
【００８１】
一時記録または記憶装置２２のエリアＡｒ１に全ての素材が記録または記憶された後は、操作部２８、制御部２７、一時記録または記憶装置２２及び映像特殊効果ミクサ２５を用いて編集を行うことになる。オペレータが操作部２８のある再生パターンを指定するための操作キーを操作すると、制御部２７から一時記録または記憶装置２２に対して操作キーに割り当てられているコマンド、例えばスローモーション再生、クイックモーション再生等の各種再生コマンドが供給される。このような種々の再生速度の再生を示すコマンドが一時記録または記憶装置２２の各出力インターフェース回路２３−１、２３−２、・・・・２３−ｋに供給されると、一時記録または記憶装置２２の各出力インターフェース回路２３−１、２３−２、・・・・２３−ｋはそのコマンドに基いた速度で一時記録または記憶装置２２のエリアＡｒ１から高速に読み出した素材を出力する。
【００８２】
この出力は映像特殊効果ミクサ２５に供給される。映像特殊効果ミクサ２５にはオペレータが操作部２８を操作することによって制御部２７から供給される効果制御信号Ｅｃが供給される。効果制御信号Ｅｃは効果制御が一時記録または記憶装置２２から出力される映像及び音声データの転送タイミングに同期させるための信号である。
【００８３】
映像特殊効果ミクサ２５において処理された映像及び音声データは再び一時記録または記憶装置２２に６０フィールド／秒の転送速度で供給され、入力インターフェース回路２４を通じて一時記録または記憶装置２２のエリアＡｒ２に記録または記憶される。
【００８４】
全ての素材の編集が終了した時点においては、一時記録または記憶装置２２のエリアＡｒ２には、例えば編集された素材が１つの番組素材として記録または記憶されていることになる。オペレータが操作部２８の高速読み出しを指定するための操作キーを操作すると、制御部２７から一時記録または記憶装置２２に高速記録再生制御信号Ｐｃが供給され、これによって、一時記録または記憶装置２２のエリアＡｒ２に記録または記憶されている素材は高速に読み出され、高速転送機２６に高速転送され、高速転送機２６にセットされているビデオテープカセット２９に高速に記録される。
【００８５】
ビデオテープカセット２９に記録された素材を例えば送出用として用いる場合は、６０フィールド／秒で出力されるようにするために、高速転送機２６はビデオテープカセットのテープの走行速度を通常速度にして再生を行う。これによって高速転送機２６から６０フィールド／秒の映像及び音声信号が出力される。
【００８６】
次に、図１に示した高速転送機２１及び２６、一時記録または記憶装置２２、映像特殊効果ミクサ２５の構成例について図２〜図５を順次参照して説明する。
【００８７】
先ず、図２を参照して図１に示した高速転送機２１及び２６をＶＴＲとした場合について説明する。尚、図２においては、高速転送機２１及び２６を何れも記録再生可能とした場合の構成例である。従って、高速転送機２１を図２に示す再生系のみで構成し、高速転送機２６を図２に示す記録系のみで構成しても良い。
【００８８】
図２において３０は高速転送機２１であれば外部入力端子、高速転送機２６であれば図１に示した一時記録または記憶装置２２から高速に転送されてくる映像及び音声データ３１ｒが供給される入力端子である。
【００８９】
この入力端子３０を介して高速に転送されてくる映像及び音声データ３１ｒは入力インターフェース回路３１に供給される。この入力インターフェース回路３１は高速に転送されてくる映像及び音声データをバッファリングした後に出力する。
【００９０】
入力インターフェース回路３１からのデータはＥＣＣ（エラー・コレクション・コード）付加回路３３−１に供給される。このＥＣＣ付加回路３３−１は映像及び音声データに対してＥＣＣを付加する。このＥＣＣ付加回路３３−１でＥＣＣの付加された映像及び音声データはＣＨＣＯＤ（チャンネルコーディング）回路３４−１に供給され記録変調処理（ディジタル変調処理）が施される。
【００９１】
このチャンネルコーディング回路３４−１において記録変調処理された映像及び音声信号は記録増幅回路３５−１を介してスイッチ３６−１の可動接点３６ｃに供給される。
【００９２】
このスイッチ３６−１の一方の固定接点３６ａをロータリートランス３７−１の１次側に接続し、このスイッチ３６−１の他方の固定接点３６ｂをロータリートランス３７−２の１次側に接続する。
【００９３】
このスイッチ３６−１は後述するシステムコントローラ５０からのスイッチング信号ＳＷ１に基いて、可動接点３６ｃを一方または他方の固定接点３６ａまたは３６ｂに接続して記録／再生ヘッド３８−１、３８−２の切り換えを行う。また、このロータリートランス３７−１、図示しないテープローディング機構、記録／再生ヘッド３８−１からなるテープトランスポート部はコントローラ４０によってコントロールされる。
【００９４】
従って、記録時においては、記録増幅回路３５−１からの映像及び音声信号がスイッチ３６−１の各一方または他方の固定接点３６ａまたは３６ｂ並びにロータリートランス３７−１、３７−２を夫々介して記録／再生ヘッド３８−１、３８−２に順次供給され、磁気テープ３９に順次傾斜トラックを形成するように記録される。
【００９５】
記録／再生ヘッド３８−１、３８−２は、夫々図示しない回転ドラム上において対向し、且つ、記録／再生ヘッド３８−１及び３８−２間の間隔が均等となるように取り付ける。ここで、記録再生ヘッド３８−１、３８−２の個数は、磁気テープ３９を通常の走行速度のｎ倍で走行させ、且つ、回転ドラムの回転速度を通常の回転速度のｎ倍の回転速度とした状態でデータの転送速度を通常の転送速度のｎ倍とする場合には、通常の個数（例えば２個）となる。
【００９６】
記録時には、磁気テープ３９は通常の走行速度のｎ倍速で走行させ、図示しない回転ドラムの回転数を通常の回転速度のｎ倍の回転速度とする。
【００９７】
この例では、記録増幅回路３５−１にチャンネルコーディング回路３３−１から記録すべき映像及び音声データが供給されるので、各記録／再生ヘッド３８−１、３８−２は、記録増幅回路３５−１によって順次記録電流が供給されることになる。
【００９８】
さて、磁気テープ３９に記録された記録データは記録／再生ヘッド３８−１、３８−２によって順次再生される。磁気テープ３９の走行速度は上述と同様に通常の走行速度のｎ倍、回転ドラムの回転数を通常の回転速度のｎ倍の回転速度とすることにより、再生データの転送速度を通常のｎ倍にすることができる。
【００９９】
記録／再生ヘッド３８−１、３８−２からの各再生信号はロータリートランス３７−１、３７−２を介してスイッチ３６−１の一方及び他方の固定接点３６ａ及び３６ｂに順次（再生された順序）供給される。このスイッチ３６−１には記録時と同様にシステムコントローラ５０からのスイッチング信号ＳＷ１が供給される。これによってスイッチ３６−１は可動接点３６ｃを一方または他方の固定接点３６ａまたは３６ｂに接続する。
【０１００】
従って、順次再生された再生信号はスイッチ３６−１の一方または他方の固定接点３６ａまたは３６ｂ、再生増幅回路４２−１を介してデータ抽出回路４３−１に順次供給される。このデータ抽出回路４３−１は再生増幅回路４２−１から供給される再生信号からクロック信号を抽出し、抽出したクロック信号によって映像及び音声信号を抽出する。データ抽出回路４３−１において抽出された映像及び音声データはＣＨＤＥＣ（チャンネルデコーディング）回路４４−１に供給される。
【０１０１】
チャンネルデコーディング回路４４−１は、データ抽出回路４３−１からの映像及び音声信号（ディジタル変調されている）を復調し、元の映像及び音声データを得、復調した映像及び音声データをエラー訂正回路４５−１に供給する。
【０１０２】
エラー訂正回路４５−１はチャンネルデコーディング回路４４−１から供給される映像及び音声データに付加されているＥＣＣに基いて映像及び音声データに対してエラー訂正処理を施し、エラー訂正処理を施した映像及び音声データを出力インターフェース回路４７に供給する。ここで、映像及び音声データに付加したＥＣＣを用いてエラー訂正したときに、エラー訂正しきれないデータついては、エラー修整処理が施され、元のデータに最も近いデータが復元される。
【０１０３】
出力インターフェース回路４７はエラー訂正回路４５−１から供給される映像及び音声データ４６Ｏ１を一旦バッファリングした後に出力する。この出力４６Ｏ１は出力端子４８から出力され、図１に示した高速転送機２１であれば映像及び音声データ４８ｐとして一時記録または記憶装置２２に供給される。
【０１０４】
ところで、高速転送機２６の場合は、もし、高速転送機２６を送出システムにおける出力用とする場合は、再生映像及び音声データが圧縮されたデータであると、送出システムの次段（例えばカセット・オート・チェンジャーやマスタスイッチャや送信機）で時間軸を伸長する回路を持たなければならなくなるので、次段の系を改造しないためには、エラー訂正回路４５−１の出力を出力インターフェース回路４１によって時間軸伸長する必要がある。
【０１０５】
つまり、図２に示す構成を図１に示した高速転送機２６に適用する場合は、エラー訂正回路４５−１の出力端を図に示すように、出力インターフェース回路４１の入力端に接続し、この出力インターフェース回路４１によって元のデータに変換して出力するようにすれば良い。このようにすれば、例えばこの出力インターフェース回路４１の出力端子４１ａにテレビジョンモニタ等を接続し、その管面に映出された映像をモニタすることも可能となる。
【０１０６】
４９は図示せずも、例えば表示部及び操作キー群を有する操作部である。この操作部４９を操作するか、或いは、入力端子５１を介して図１に示した制御部２７からの記録／再生制御信号がシステムコントローラ５０に供給されることによって、システムコントローラ５０はシステムクロック／同期信号発生回路５２に制御信号を供給する。
【０１０７】
これによってシステムクロック／同期信号発生回路５２は上述した入力インターフェース回路３１、ＥＣＣ付加回路３３−１、チャンネルコーディング回路３４−１、データ抽出回路４３−１、チャンネルデコーディング回路４４−１、エラー訂正回路４５−１、出力インターフェース回路４７に夫々必要なシステムクロック及び同期信号を供給する。
【０１０８】
以上の説明から分かるように、上述の例においては、転送速度を通常の転送速度の４倍として説明したが、転送速度を可変することも可能である。つまり、オペレータが必要な転送速度を図１に示した操作部２８の操作キーで指定した転送速度とすることができる。
【０１０９】
これには、指定された転送速度に応じて回転ドラムの回転数を可変する方法が採用可能である。この方法は回転ドラムに搭載する記録／再生ヘッドを必要最小限（通常のヘッドの個数）で済ませることができるという利点がある。何れにしても、このように転送速度を可変するためには、回路のシステムクロックもこれに連動して可変させるようにしなければならないが、システムクロックは周知のＶＣＯ（電圧制御発振器）や高い周波数の水晶発振器と分周器や低い周波数の水晶発振器と逓倍器があれば容易に実現できる。
【０１１０】
また、この方法では、ヘッドの数が決まっているので、回転ドラムの回転速度と磁気テープ３９の走行速度を変えることによって転送速度を変えることができる。つまり、通常の再生、或いは記録時と同じ時間で記録或いは再生するトラック数を通常のｎ倍とできるように磁気テープ３９の走行速度、回転ドラムの回転数を決定すれば良い。
【０１１１】
次に、図６から図８を順次参照して、図２に示した高速転送機２１或いは２６の動作について説明する。
【０１１２】
図６から説明する。図６において、ＦＤはフレームデータ、ＴＤはトラック対応データ、ＴＰはトラックパターンを夫々示し、この例では、フレームデータＰ、Ｐ＋１、Ｐ＋２及びＰ＋３（図において示されている分だけで説明し、他は省略する）、Ｐ＋４、Ｐ＋５、・・・・は夫々実時間としての１フレーム期間に転送される。また、Ｄｎ／Ｆは１フレーム分のデータ、ＴＤｎに添えた括弧中の符号はヘッドの番号を夫々示し、Ｔｎ／Ｆは１フレーム分のトラックを示し、図中上段に示す実線の矢印は転送順序、下段に示す実線の矢印はテープ走行方向（この例では４倍速走行）Ｔｎは実時間の１フレーム期間に記録されるトラックを夫々示す。
【０１１３】
先ず、フレームＰ及びＰ＋１に着目すると、フレームＰは第１トラックＴＤ１（Ｈ１）、ＴＤ２（Ｈ２）、・・・・ＴＤ８（Ｈ２）、・・・・ＴＤ１２（Ｈ２）となる。つまり、フレームＰの第１トラック対応データＴＤ１は“Ｈ１”、つまり、図２に示した記録／再生ヘッド３８−１で記録され、第２トラック対応データＴＤ２は“Ｈ２”、つまり、図２に示した記録／再生ヘッド３８−２で記録され、・・・・第８トラック対応データＴＤ８は“Ｈ２”つまり、図２に示した記録／再生ヘッド３８−２で記録され、・・・・第１２トラック対応データＴＤ１２は“Ｈ２”、つまり、図２に示した記録／再生ヘッド３８−２で記録される。
【０１１４】
続いて、フレームＰ＋１の第１トラック対応データＴＤ１は“Ｈ１”、つまり、図２に示した記録／再生ヘッド３８−１で記録され、第２トラック対応データＴＤ２は“Ｈ２”、つまり、図２に示した記録／再生ヘッド３８−２で記録され、・・・・第１２トラック対応データＴＤ１２は“Ｈ２”、つまり、図２に示した記録／再生ヘッド３８−２で記録される。つまり、この例では、１フレーム分で丁度記録／再生ヘッド３８−１、３８−２が６回ずつトラック対応分のデータを記録し、トラックを形成することになる。勿論、これはこの例におけるＶＴＲのテープフォーマットが１フレーム１２トラックとなっているからである。従って、１フレームのトラック数が８トラックの場合は１フレームで記録／再生ヘッド３８−１、３８−２は４回ずつトラック対応データを記録し、トラックを形成する。
【０１１５】
この結果、図中斜線で示すように、テープ上にフレームＰに対応してトラックＴ１、Ｔ２、・・・・Ｔ１２が形成され、図中ドットで示すように、フレームＰ＋１に対応してトラックＴ１、Ｔ２、・・・・Ｔ１２が形成される。勿論、各フレームの各１２ずつのトラックＴ１、Ｔ２、・・・・Ｔ１２は実時間の１フレーム／４の内に記録される。従って、トラックパターンＴＰに示す全てのトラックＴ１〜Ｔ１２（図中においては全部で４８トラック分）は実時間の１フレームの期間中に記録される。
【０１１６】
次に、図７を参照して、図２に示した高速転送機２６に通常の転送速度４倍の速度で転送を行い、高速転送機２６の２つの記録／再生ヘッド３８−１、３８−２で映像及び音声データを記録する場合の動作について説明する。説明を分かりやすくするために、図７に示す信号の符号を図２にも示している。
【０１１７】
３１ｒは図２の入力インターフェース回路３１の入力（高速転送データ）、３２Ｉ１は図２のＥＣＣ付加回路３３−１の入力、３５Ｏ１は図２の記録増幅回路３５−１の記録増幅出力、ＳＷ１は図２のスイッチ３６−１に供給されるシステムコントローラ５０からのスイッチング信号、３８ｒ１は図２の記録／再生ヘッド３８−１の記録信号、３８ｒ２は図２の記録／再生ヘッド３８−２の記録信号である。
【０１１８】
尚、スイッチング信号ＳＷ１には、スイッチング信号ＳＷ１のハイレベル“１”及びローレベル“０”の状態によって選択される記録／再生ヘッド３８−１、３８−２を示すための番号“１”〜“２”を添えてある。
【０１１９】
先ず、図２に示した入力インターフェース回路３１には、入力端子３０を介して図１に示した一時記録または記憶装置２２からの通常の転送速度の４倍の転送速度の映像及び音声データ３１ｒが供給される。図７において映像及び音声データ３１ｒに夫々示す符号Ｔ１２Ｄ、Ｔ１Ｄ、Ｔ２Ｄ、・・・・Ｔ３Ｄは夫々第１２トラック、第１トラック、第２トラック、・・・・第３トラックの構成データを夫々示す。
【０１２０】
この映像及び音声データ３１ｒが入力インターフェース回路３１を介してＥＣＣ付加回路３３−１に供給される。この入力インターフェース回路３１の出力は図７に示すような映像及び音声データ３２Ｉ１となる。この映像及び音声データ３２Ｉ１は、ＥＣＣ付加回路３３−１の入力となる。
【０１２１】
この映像及び音声データ３２Ｉ１はＥＣＣ付加回路３３−１でＥＣＣが付加され、更にチャンネルコーディング回路３４−１においてディジタル変調され、増幅回路３５−１に供給されて記録増幅される。この記録増幅回路３５−１の出力３５Ｏ１は、図７に示すように、ＥＣＣ付加回路３３−１の入力映像及び音声データ３２Ｉ１よりも遅延している。この遅延時間はＥＣＣ付加回路３３−１及びチャンネルコーディング回路３４−１での処理によるものである。例えば、映像及び音声データ３２Ｉ１は、実線の矢印で示すように、この斜線部分から記録増幅回路３５−１の出力３５Ｏ１の斜線部分となる。従って、各映像及び音声データに対する遅延時間は図中符号ＲＤで示す時間となる。さて、記録増幅回路３５−１から出力された映像及び音声信号（電流信号）３５Ｏ１は、スイッチ３６−１の可動接点３６ｃに供給される。
【０１２２】
システムコントローラ５０からスイッチ３６−１に供給されるスイッチング信号ＳＷ１がハイレベル“１”の場合はスイッチ３６−１は可動接点３６ｃを一方の固定接点３６ａに接続し、ローレベル“０”の場合はスイッチ３６−１は可動接点３６ｃを他方の固定接点３６ｂに接続する。従って、スイッチング信号ＳＷ１上に示すように、記録増幅回路３５−１から出力される第１トラックの映像及び音声データＴ１Ｄは記録／再生ヘッド３８−１によって磁気テープ３９上に傾斜トラックを形成するように記録され、記録増幅回路３５−１から出力される第２トラックの映像及び音声データＴ２Ｄは記録／再生ヘッド３８−２によって磁気テープ３９上に傾斜トラックを形成するように記録される。以下同様に、スイッチング信号ＳＷ１によって、記録／再生ヘッド３８−１または３８−２が選択され、選択された記録／再生ヘッド３８−１または３８−２により、第３トラック以降の映像及び音声データＴ３Ｄ〜Ｔ１２Ｄが、磁気テープ３９上に傾斜トラックを形成するように交互に記録される。
【０１２３】
次に、図８を参照して図２に示した高速転送機２１でビデオテープカセット２０を再生する場合の動作について説明する。この図８においては、図２に示した高速転送機２１の２つの記録／再生ヘッド３８−１及び３８−２で映像及び音声データを再生し、通常の転送速度の４倍の転送速度で再生データを転送する場合の動作について説明する。説明を分かりやすくするために、図８に示す信号の符号を図２にも示している。
【０１２４】
図８において、３８ｐ１は図２に示した記録／再生ヘッド３８−１で再生された再生信号、３８ｐ２は図２に示した記録／再生ヘッド３８−２で再生された再生信号、ＳＷ１はシステムコントローラ５０からのスイッチング信号、４２Ｉ１は再生増幅回路４２−１の入力、４６Ｏ１はエラー訂正回路４５−１の出力、４８ｐは出力インターフェース回路４７の出力である。
【０１２５】
システムコントローラ５０からスイッチ３６−１に供給されるスイッチング信号ＳＷ１がハイレベル“１”の場合はスイッチ３６−１は可動接点３６ｃを一方の固定接点３６ａに接続し、ローレベル“０”の場合はスイッチ３６−１は可動接点３６ｃを他方の固定接点３６ｂに接続する。従って、スイッチング信号ＳＷ１上に添えた数字“１”及び“２”で示すように、スイッチング信号ＳＷ１がハイレベル“１”のときは記録／再生ヘッド３８−１からの再生信号３８ｐ１が再生増幅回路４２−１に供給され、スイッチング信号ＳＷ１がローレベル“０”のときは記録／再生ヘッド３８−２からの再生信号３８ｐ２が再生増幅回路４２−１に供給される。
【０１２６】
図８に示すように、再生信号４２Ｉ１は再生増幅回路４２−１に供給され、この再生増幅回路４２−１において再生増幅された後に出力され、データ抽出回路４３−１に供給され、このデータ抽出回路４３−１においてクロック信号が再生され、再生されたクロック信号でデータが抽出される。データ抽出回路４３−１からの映像及び音声信号はチャンネルデコーディング回路４４−１に供給され、このチャンネルデコーディング回路４４−１において復調され、元の映像及び音声データにされ、次段のエラー訂正回路４５−１に供給され、上述したようにエラー訂正処理が施される。エラー訂正処理が施された映像及び音声データ４６Ｏ１は、出力インターフェース回路４７に供給される。
【０１２７】
尚、ＰＤは、チャンネルデコーディング回路４４−１及びエラー訂正回路４５−１での処理時間による遅延時間を示している。
【０１２８】
この圧縮映像及び音声データ４６Ｏ１は出力インターフェース回路４７に供給される。出力インターフェース回路４７に供給された圧縮映像及び音声データ４６Ｏ１はここで一旦バッファリングされた後、高速映像及び音声データ４８ｐとして出力端子４８から出力され、図１に示した一時記録または記憶装置２２に供給される。
【０１２９】
この図８から分かるように、斜線で示す圧縮映像及び音声データは第１トラック対応データＴ１Ｄ、第５トラック対応データＴ５Ｄ、第９トラック対応データＴ９Ｄを示し、ドットで示す圧縮映像及び音声データは第２トラック対応データＴ２Ｄ、第６トラック対応データＴ６Ｄ、第１０トラック対応データＴ１０Ｄを示し、第１、第５及び第９トラックの圧縮映像及び音声データと逆の斜線で示す圧縮映像及び音声データは、第３トラック対応データＴ３Ｄ、第７トラック対応データＴ７Ｄ、第１１トラック対応データＴ１１Ｄを示し、白抜き（模様がないことを示す）圧縮映像及び音声データは第４トラック対応データＴ４Ｄ、第８トラック対応データＴ８Ｄ及び第１２トラック対応データＴ１２Ｄを示す。
【０１３０】
次に、図３を参照して、図１に示した一時記録または記憶装置２２の構成例について説明する。
【０１３１】
６０は図１に示した高速転送機２１からの高速映像及び音声データ４８ｐが供給される入力端子であり、この入力端子６０を介して再生された高速映像及び音声データ４８ｐはデマルチプレクサ６１に供給される。このデマルチプレクサ６１は高速映像及び音声データ４８ｐを例えば１秒分毎のデータ（４倍の転送速度、且つ、ＮＴＳＣ方式であれば２４０フィールド分）に分割して伸長し、分割して伸長した各８ビットの映像及び音声データ６１ｐ１、６１ｐ２、・・・・６１ｐｍを得、これら映像及び音声データ６１ｐ１、６１ｐ２、・・・・６１ｐｍをバス６２−１、６２−２、・・・・６２−ｍを介して記録或いは記憶用映像及び音声データ８０ｒ１、８０ｒ２、・・・・８０ｒｍとしてディスクコントローラ８０−１、８０−２、・・・・８０−ｍに夫々供給する。ここで、バス６２−１、６２−２、・・・・６２−ｍは夫々８ビットの映像及び音声データ６２ｐ１、６２ｐ２、・・・・６２ｐｍを伝送するために夫々８本のビット線で構成される。
【０１３２】
ディスクコントローラ８０−１、８０−２、・・・・８０−ｍは後述するシステムコントローラ７６からのディスクアクセス制御信号に基いてバス６２−１、６２−２、・・・・６２−ｍからの映像及び音声データ８０ｒ１、８０ｒ２、・・・・８０ｒｍを夫々ディスクドライブ７８−１、７８−２、・・・・７８−ｍに供給する。
【０１３３】
ここで、ディスクドライブ７８−１、７８−２、・・・・７８−ｍは既に説明したが、ハードディスク、光ディスク、少なくとも２０Ｍｂｙｔｅ以上の記録容量を有するフレキシブルディスクを媒体とするドライブで構成できる。また、ディスクコントローラ８０−１、８０−２、・・・・８０−ｍは夫々システムコントローラ７６からのディスクアクセス制御信号に基いてディスクドライブ７８−１、７８−２、・・・・７８−ｍにセットされているメディアに対する書き込み、ディスクドライブ７８−１、７８−２、・・・・７８−ｍにセットされているメディアからのデータの読み出しを行う。
【０１３４】
また、システムコントローラ７６は入出力端子７７を介して図１に示した制御部２７から供給される記録／再生制御信号、後述する出力インターフェース回路２３−１、２３−２、・・・・２３−ｋからのデータ再生制御信号や入力インターフェース回路２４からのデータ記録制御信号に基いてディスクアクセス制御信号をディスクコントローラ８０−１、８０−２、・・・・８０−ｍに供給する他、出力インターフェース回路２３−１、２３−２、・・・・２３−ｋに再生制御信号を、入力インターフェース回路２４に記録制御信号を、デマルチプレクサ７５及びマルチプレクサ８１に制御信号を、バス６２−１、６２−２、・・・・６２−ｍを制御するバスコントローラ６４に例えば転送同期制御用のフラグＦＬＧを、後述するマトリクススイッチャ６５に選択制御信号を夫々供給する。
【０１３５】
ここで、制御部２７から供給される記録／再生制御信号が、デマルチプレクサ６１に供給される高速映像及び音声データ４８ｐをディスクドライブ７８−１、７８−２、・・・・７８−ｍに記録することを示す場合は、オペレータが図１に示した操作部２８を操作し、編集に必要な素材を映像を見ながら開始フレームと終了フレームをタイムコード入力で指定することによって行われる。一時記録または記憶装置２２のディスクドライブ７８−１、７８−２、・・・・７８−ｍにセットされているメディアには、このようなオペレータの操作に連動した処理が複数回行われることによって、編集しようとする複数の素材がディスクドライブ７８−１、７８−２、・・・・７８−ｍにセットされているメディアに夫々記録、或いは記憶される。
【０１３６】
さて、ディスクドライブ７８−１、７８−２、・・・・７８−ｍにセットされているメディアに高速転送された映像及び音声データが上述したように１秒分ずつ分割されて記録された後は、入出力端子７７を介して図１に示した制御部２７から供給される記録／再生制御信号が再生を示す場合、システムコントローラ７６はディスクアクセス制御信号をディスクコントローラ８０−１、８０−２、・・・・８０−ｍに夫々供給する。
【０１３７】
ディスクコントローラ８０−１、８０−２、・・・・８０−ｍはシステムコントローラ７６からのディスクアクセス制御信号に基いてディスクドライブ７８−１、７８−２、・・・・７８−ｍを各々制御し、各ディスクドライブ７８−１、７８−２、・・・・７８−ｍにセットされているメディアから記録されている映像及び音声データを読み出し、読み出した映像及び音声データ８０ｐ１、８０ｐ２、・・・・８０ｐｍをバス６２−１、６２−２、・・・・６２−ｍに夫々供給する。
【０１３８】
バス６２−１、６２−２、・・・・６２−ｍに供給された映像及び音声データ８０ｐ１、８０ｐ２、・・・・８０ｐｍはマトリクススイッチャ６５に夫々供給される。このマトリクススイッチャ６５は、システムコントローラ７６からの選択制御信号に基いて、バス６２−１、６２−２、・・・・６２−ｍを介して供給される映像及び音声データ８０ｐ１、８０ｐ２、・・・・８０ｐｍを選択する。
【０１３９】
この選択の仕方は、バス６２−１、６２−２、・・・・６２−ｍを介して供給される８ビットパラレルの映像及び音声データ８０ｐ１、８０ｐ２、・・・・８０ｐｍをタイムスロット内において選択して出力インターフェース回路２３−１、２３−２、・・・・２３−ｋに選択的に供給する。従って、出力インターフェース回路２３−１、２３−２、・・・・２３−ｍに供給される映像及び音声データは８ビット×ｍ個となる。
【０１４０】
マトリクススイッチャ６５で選択された映像及び音声データ８０ｐ１、８０ｐ２、・・・・８０ｐｍは出力インターフェース回路２３−１、２３−２、・・・・２３−ｋに夫々供給される。つまり、マトリクススイッチャ６５はバス６２−１、６２−２、・・・・６２−ｍを介して供給されるｍ個の映像及び音声データ８０ｐ１、８０ｐ２、・・・・８０ｐｍを、図１に示した映像特殊効果ミクサ２５で使用するための個数ｋとする。勿論、上述した“ｎ”、“ｍ”及び“ｋ”を互いに等しくしても良いが、メリットとしては、現状で使用している映像特殊効果ミクサ２５を使用することができる。
【０１４１】
出力インターフェース回路２３−１、２３−２、・・・・２３−ｋはマトリクススイッチャ６５からのｋ個の映像及び音声データを６０フィールド／秒に変換して各出力端子６７−１、６７−２、・・・・６７−ｋを介して図１に示した映像特殊効果ミクサ２５に夫々供給する。また、これら出力インターフェース回路２３−１、２３−２、・・・・２３−ｋには夫々入出力端子６８−１、６８−、・・・・６８−ｋを介して図１に示した制御部２７からの再生制御信号が供給される。また出力インターフェース回路２３−１、２３−２、・・・・２３−ｋは夫々システムコントローラ７６にデータ再生制御信号を供給する。
【０１４２】
さて、図１に示した映像特殊効果ミクサ２５において特殊効果処理が施され、音声処理が施された通常の転送速度の映像及び音声データは、入力端子７２を介して入力インターフェース回路２４に供給される。勿論、通常の転送速度の外部映像及び音声データでも良い。入力インターフェース回路２４は入出力端子７３を介して図１に示した制御部２７から供給される記録制御信号に基いてシステムコントローラ７６に記録制御信号を供給する。この入力インターフェース回路２４は映像特殊効果ミクサ２５、或いは外部からの映像及び音声データを一旦バッファリングして出力する。
【０１４３】
入力インターフェース回路２４の出力はデマルチプレクサ７５に供給され、このデマルチプレクサ７５によって元の１秒分ずつのｍ個の映像及び音声データに分割される。この分割されたｍ個のデータは夫々バス６２−１、６２−２、・・・・６２−ｍを介してディスクコントローラ８０−１、８０−、・・・・８０−ｍに記録用の映像及び音声データ８０ｒ１、８０ｒ２、・・・・８０ｒｍとして供給される。
【０１４４】
ディスクコントローラ８０−１、８０−２、・・・・８０−ｍはバス６２−１、６２−２、・・・・６２−ｍを介してデマルチプレクサ７５から供給される映像及び音声データ８０ｒ１、８０ｒ２、・・・・８０ｒｍを、システムコントローラ７６からのディスクアクセス制御信号に基いてディスクドライブ７８−１、７８−２、・・・・７８−ｍにセットされているメディアに夫々記録する。
【０１４５】
ここで、図１に示した一時記録または記憶装置２２のエリアＡｒ１及びＡｒ２と、図３に示すディスクドライブ７８−１、７８−２、・・・・７８−ｍの関係について説明する。エリアの考え方としては２通りあり、１つは各ディスクドライブ７８−１、７８−２、・・・・７８−ｍにセットされているメディアをエリアＡｒ１とＡｒ２で分割するという考え方であり、もう１つは、ディスクドライブ７８−１、７８−２、・・・・７８−ｍをエリアＡｒ１用とエリアＡｒ２用で分けるという考え方がある。
【０１４６】
また、前者の考え方に近いが、例えばハードディスクをメディアとした場合、ハードディスクが複数枚のディスクで構成されている場合は、ディスク毎にエリアＡｒ１、Ａｒ２を設定しても良いし、また、シリンダ毎にエリアＡｒ１、Ａｒ２を設定しても良いし、更に、ディスクコントローラ８０−１、８０−２、・・・・８０−ｍにテーブルを持たせ、そのテーブルにデマルチプレクサ６１から供給された映像及び音声データのアドレスと、映像特殊効果ミクサ２５で処理して得られた映像及び音声データのアドレスを記憶させるようにしても良い。
【０１４７】
何れにしても、編集時においては、編集すべき素材と、編集して得られた素材が存在することになり、また、編集すべき素材が１回の編集で不要とならない場合があるので（例えば編集をやり直す場合等）、オペレータに都合の良い編集環境を与えるためには、編集すべき素材と、編集して得られた素材を自動的に管理する状態が必要となろう。従って、ディスクドライブ７８−１、７８−２、・・・・７８−ｍに記録した編集単位毎の素材にオペレータが操作部２８で入力操作を行うことによって名前を付けた場合に、図示しない表示部（勿論操作部２８に設けても良い）に素材毎の名前、データ長（時間データ等）等の各種情報を表示できるようにしても良い。
【０１４８】
つまり、編集すべき素材はディスクドライブ７８−１、７８−２、・・・・７８−ｍに編集素材単位で記録、或いは記憶されていなくとも、オペレータは編集素材単位で編集作業を考え、操作することができるようになる。
【０１４９】
また、ディスクコントローラ８０−１、８０−２、・・・・８０−ｍによる再生についても、オペレータが操作部２７の所定の操作キーを操作するか或いは表示部上に表示されたコマンド実行用のアイコンをマウスでクリックすること等によって、素材の選択や、再生の仕方を指定できるようにしても良い。例えばディスクドライブ７８−１、７８−２、・・・・７８−ｍにセットされているメディアから間欠的に映像及び音声データを読み出すことによってスローモーション再生を行うことができ、数フレームに１回等のように、フレームをスキップして読み出すことによっていわゆるクイックモーション等と称されている再生も行うことができるのである。
【０１５０】
さて、オペレータが操作部２８を操作して制御部２７に編集した映像及び音声データを高速転送ＶＴＲ２６に記録する指令を発行させた場合、システムコントローラ７６には制御部２７からの記録／再生制御信号が供給される。システムコントローラ７６は制御部２７からの記録再生制御信号に基いてディスクコントローラ８０−１、８０−２、・・・・８０−ｍに夫々ディスクアクセス制御信号を供給する。
【０１５１】
各ディスクコントローラ８０−１、８０−２、・・・・８０−ｍはシステムコントローラ７６からのディスクアクセス制御信号に基いてディスクドライブ７８−１、７８−２、・・・・７８−ｍを制御する。これによって、ディスクドライブ７８−１、７８−２、・・・・７８−ｍからは、映像特殊効果ミクサ２５で特殊効果処理や音声処理等が施された映像及び音声データが読み出される。このときのディスクアクセス制御信号は、通常の転送速度となる読み出し速度のｎ倍の速度で読み出す制御を行う。
【０１５２】
ディスクドライブ７８−１、７８−２、・・・・７８−ｍから夫々読み出された映像及び音声データ８０ｐ１、８０ｐ２、・・・・８０ｐｍは夫々マルチプレクサ８１に供給され、このマルチプレクサ８１において元の連続したデータに変換され高速映像及び音声データ８１ｐとして出力端子８２から出力され、図１に示した高速転送機２６に供給され、高速転送機２６にセットされているビデオテープカセットの磁気テープ上に傾斜トラックを形成するように記録される。
【０１５３】
ところで、現在周知なディスクドライブの転送速度の限界によって、本例では複数（ｍ）台のディスクドライブ７８−１、７８−２、・・・・７８−ｍを用いているが、高速で大容量の一時記録または記憶装置２２を用いれば、ｍ＝１で構成することができ、この場合は図３に示すデマルチプレクサ６１及び７５、マルチプレクサ８１を用いなくても済む。
【０１５４】
次に、図９及び図１０を順次参照して図３に示した一時記録または記憶装置２２の動作について説明する。図９は図３に示した一時記録または記憶装置２２の高速転送記録動作を説明するためのタイミングチャート、図１０は図３に示した一時記録または記憶装置２２の高速転送再生動作を説明するためのタイミングチャートである。以下の説明では、通常の転送速度の４倍の転送速度の場合を例にとり説明する。つまり、図２に示した高速転送機２１及び２６において記録／再生ヘッドを８個使用する場合である。
【０１５５】
先ず、図９から説明する。この図９において、４８ｐは図１に示した高速転送機２１から図３に示す入力端子６０を介してデマルチプレクサ６１に供給される高速映像及び音声データ、６１ｐ１、６１ｐ２、６１ｐ３及び６１ｐ４はデマルチプレクサ６１で分割された映像及び音声データ、６２ｐ１、６２ｐ２、６２ｐ３及び６２ｐ４はデマルチプレクサ６１で夫々時間軸伸長された後にバス６２−１、６２−２、６２−３及び６２−４に供給される映像及び音声データ、８０ｒ１、８０ｒ２、８０ｒ３及び８０ｒ４は夫々バス６２−１、６２−２、６２−３及び６２−４を介してディスクコントローラ８０−１、８０−２、８０−３及び８０−４に記録用として供給される映像及び音声データである。
【０１５６】
入力端子６０を介して図１に示した高速転送機２１からの高速映像及び音声データ４８ｐ（図９においては全体を１つの素材カットとする）がデマルチプレクサ６１に供給されると、デマルチプレクサ６１は、高速映像及び音声データ４８ｐを破線で示す単位（例えば１秒）毎に分割して斜線で示す映像及び音声データ６１ｐ１、ドットで示す映像及び音声データ６１ｐ２、映像及び音声データ６１ｐ１と逆の斜線で示す映像及び音声データ６１ｐ３、無地（模様の無いことを意味する）で示す映像及び音声データ６１ｐ４を夫々得る。ここで、注意しなければならないのは、この例では高速映像及び音声データ４８ｐが１２秒カットの場合であり、しかも１秒ずつ分割しているので、転送速度が４倍であるから、１秒につき２４０フィールド分の映像及び音声データが含まれていることになる。
【０１５７】
これらの映像及び音声データ６１ｐ１、６１ｐ２、６２ｐ３、６１ｐ４は夫々このデマルチプレクサ６１において時間軸伸長され、時間軸伸長された映像及び音声データ６２ｐ１、６２ｐ２、６２ｐ３及び６２ｐ４にされ、実線の矢印で示すように、バス６２−１、６２−２、６２−３及び６２−４に夫々供給される。
【０１５８】
そして、これら時間軸伸長されバス６２−１、６２−２、６２−３及び６２−４に供給された映像及び音声データ６２ｐ１、６２ｐ２、６２ｐ３及び６２ｐ４は、ディスクコントローラ８０−１、８０−２、８０−３及び８０−４に記録され、ディスクドライブ７８−１、７８−２、７８−３及び７８−４にセットされているメディア上に記録或いは記憶される。図９に記録或いは記憶タイミングを示す。映像及び音声データ８０ｒ１、８０ｒ２、８０ｒ３及び８０ｒ４はこの図９に示すようなタイミングでディスクドライブ７８−１、７８−２、７８−３及び７８−４にセットされているメディアに夫々記録或いは記憶される。
【０１５９】
次に図１０を参照して説明する。この図１０において、８０ｐ１、８０ｐ２、８０ｐ３及び８０ｐ４は図１に示した映像特殊効果ミクサ２５或いは外部から入力端子７２を介して入力インターフェース回路２４に供給され、デマルチプレクサ７５においてｍ個の映像及び音声データに変換された後にバス６２−１、６２−２、６２−３及び６２−４を介してディスクコントローラ８０−１、８０−２、８０−３及び８０−４に供給され、更にこれらディスクコントローラ８０−１、８０−２、８０−３及び８０−４によってディスクドライブ７８−１、７８−２、７８−３及び７８−４にセットされたメディアに記録或いは記憶され、この後ディスクコントローラ８０−１、８０−２、８０−３及び８０−４によって読み出された映像及び音声データ、或いは図１に示したエリアＡｒ１から読み出された映像及び音声データ、６２ｐ１、６２ｐ２、６２ｐ３及び６２ｐ４は図１に示したエリアＡｒ１から読み出された後バス６２−１、６２−２、６２−３及び６２−４に夫々供給された映像及び音声データ、８１ｐ１、８１ｐ２、８１ｐ３及び８１ｐ４は図１に示したエリアＡｒ２から読み出された後にマルチプレクサ８１に供給され、このマルチプレクサ８１において分割されて記憶された後に、書き込み時の４倍の速度で読み出されることによって時間的に圧縮された映像及び音声データ、８１ｐはマルチプレクサ８１によって時間的に圧縮された後に元の連続するデータとして出力される映像及び音声データを示す。
【０１６０】
オペレータが図１に示した操作部２８を操作し、制御部２７に一時記録または記憶装置２２に記録または記憶した素材を再生し、高速転送機２６にセットされているビデオテープカセットに転送して記録する指示を制御部２７に通知すると、制御部２７は図３に示すシステムコントローラ７６に入出力端子７７を介して記録／再生制御信号を供給する。
【０１６１】
システムコントローラ７６は制御部２７からの記録／再生制御信号に基いてディスクコントローラ８０−１、８０−２、８０−３及び８０−４に夫々ディスクアクセス制御信号を供給し、各々にディスクドライブ７８−１、７８−２、７８−３及び７８−４を制御させ、ディスクドライブ７８−１、７８−２、７８−３及び７８−４にセットされているメディアから映像及び音声データを再生させる。この映像及び音声データ８０ｐ１、８０ｐ２、８０ｐ３及び８０ｐ４がエリアＡｒ１から読み出された映像及び音声データの場合はデータバス６２−１、６２−２、６２−３及び６２−４に供給され、エリアＡｒ２から読み出された映像及び音声データの場合はマルチプレクサ８１に供給される。
【０１６２】
尚、エリアＡｒ２に記録或いは記憶された映像及び音声データに新たに編集した映像及び音声データを追加、或いはインサートする編集を行う場合は、オペレータが図１に示した操作部２８を操作することによって行うことができる。つまり、一時記録または記憶装置２２で編集の後に更に編集した映像及び音声データを追加したりインサートしたりするようにすれば、高速転送機２６にまとめて転送して記録することが可能となり、この場合は、何度も高速転送機２６に編集結果を記録或いは記憶させるよりも、いわゆる継ぎ目のない編集後の素材テープを得ることができるのである。
【０１６３】
データバス６２−１、６２−２、６２−３及び６２−４からの映像及び音声データ６２ｐ１、６２ｐ２、６２ｐ３及び６２ｐ４はマルチプレクサ８１に供給され、このマルチプレクサ８１の図示しないメモリに一旦書き込まれる。そして、書き込み速度の４倍の速度でメモリから読み出しが行われ、これによって、通常の転送速度の４倍の転送速度の映像及び音声データ８１ｐ１、８１ｐ２、８１ｐ３及び８１ｐ４が得られ、更にマルチプレクサ８１によってシリアルデータにされて高速映像及び音声データ８１ｐとして出力端子８２から出力され、図１に示した高速転送機２６に供給される。
【０１６４】
次に、図４を参照して、図１及び図３に示した出力インターフェース回路２３−１、２３−２、・・・・２３−ｋの構成例について説明する。
【０１６５】
図４において、９１は図３に示したマトリクススイッチャ６５からの選択された映像及び音声データ（８ｍ）が供給される入力端子であり、この入力端子９１を介してＦＩＦＯ（ファースト・イン・ファースト・アウト）９２−１、９２−２、・・・・９２−ｍに夫々マトリクススイッチャ６５からの映像及び音声データが供給される。
【０１６６】
９１−１、９１−２、・・・・９１−ｍはデコード及び書き込み制御回路で、これらデコード及び書き込み制御回路９１−１、９１−２、・・・・９１−ｍは入力端子９１を介して供給される映像及び音声データ（８ビット×ｍ個）を夫々デコードしてフラグＦＬＧ１、ＦＬＧ２、・・・・ＦＬＧｍを得、フラグＦＬＧ１、ＦＬＧ２、・・・・ＦＬＧｍを書き込み制御信号と共にＦＩＦＯ９２−１、９２−２、・・・・９２−ｍに夫々供給する。従って、各ＦＩＦＯ９２−１、９２−２、・・・・９２−ｍには入力端子９１を介して供給される映像及び音声データが書き込まれる。
【０１６７】
ＦＩＦＯ９２−１、９２−２、・・・・９２−ｍに書き込まれた映像及び音声データは読み出し制御回路９４からの読み出し制御信号によって読み出される。この読み出し制御回路９４は、再生制御通信コントローラ１０７からのバッファリング制御信号に基いて各ＦＩＦＯ９２−１、９２−２、・・・・９２−ｍに読み出し制御信号を供給する。
【０１６８】
この再生制御通信コントローラ１０７は、図１に示した制御部２７からの再生制御信号に基いてバッファリング制御信号、音声変速再生制御信号、映像変速再生制御信号を発生すると共に、入出力端子１０８を介して図３に示した一時記録または記憶装置２２のシステムコントローラ７６にデータ再生制御信号を供給する。
【０１６９】
９５は圧縮復号化処理回路であり、この圧縮復号化回路９５はＦＩＦＯ９２−１、９２−２、・・・・９２−ｍからバス９３を介して供給される映像及び音声データが圧縮された圧縮映像及び音声データの場合に用いるものである。圧縮の形態がＤＣＴ（離散コサイン変換）、量子化、ランレングスやハフマン等の可変長符号化であれば、この圧縮復号化回路９５は、復号化回路、逆量子化回路、ＩＤＣＴ（逆離散コサイン変換）回路で構成されることになる。勿論、ウエーブレット変換やＡＤＲＣ（アダプティブ・ダイナミック・レンジ・コーディング）等でも同様である。
【０１７０】
変速再生処理回路９７は圧縮復号化処理回路９５或いはバス９３から供給される映像データを変速再生処理する。変速再生処理回路９７にメモリを持たせた場合は、メモリに映像データを通常の転送速度の４倍の転送速度を基準として高速に書き込み、この後メモリから書き込み速度の１／４の速度で読み出し、読み出した映像データを出力インターフェース回路９８｛例えばＲＳ２３２Ｃ、ＲＳ４２２、ＳＣＳＩ（Ｓｍａｌｌ Ｃｏｍｐｕｔｅｒ Ｓｙｓｔｅｍｓ Ｉｎｔｅｒｆａｃｅ）インターフェース等の各種シリアル或いはパラレルインターフェース回路）｝に供給する。出力インターフェース回路９８は変速再生処理回路９７からの映像データを映像特殊効果ミクサ２５で使用できるフォーマットにし、出力端子９９を介して図１に示した映像特殊効果ミクサ２５に処理した映像データを供給する。
【０１７１】
一方、１００はＤ−Ａコンバータであり、このＤ−Ａコンバータ１００は変速再生処理回路９７からの映像データをアナログ映像信号に変換し、出力端子１０１を介して出力する。この出力端子１０１から出力するアナログ映像信号の用途としては、例えば次段に使用する機器がアナログ仕様だった場合や、或いは図示しないテレビジョンモニタに供給し、その管面上に画像として映出させてモニタする用途等が考えられる。
【０１７２】
変速再生処理回路９６はバス９３から供給される音声データを変速再生処理する。変速再生処理回路９６にメモリを持たせた場合は、メモリに音声データを通常の転送速度の４倍の転送速度を基準として高速に書き込み、この後メモリから書き込み速度の１／４の速度で読み出し、読み出した音声データを出力インターフェース回路１０２に供給する。出力インターフェース回路１０２｛例えばＲＳ２３２Ｃ、ＲＳ４２２、ＳＣＳＩ（Ｓｍａｌｌ Ｃｏｍｐｕｔｅｒ Ｓｙｓｔｅｍｓ Ｉｎｔｅｒｆａｃｅ）インターフェース等の各種シリアル或いはパラレルインターフェース回路）｝は変速再生処理回路９６からの映像データを映像特殊効果ミクサ２５で使用できるフォーマットにし、出力端子１０３を介して図１に示した映像特殊効果ミクサ２５に処理した音声データを供給する。
【０１７３】
一方、１０４はＤ−Ａコンバータであり、このＤ−Ａコンバータ１０４は変速再生処理回路９６からの音声データをアナログ音声信号に変換し、出力端子１０５を介して出力する。この出力端子１０５から出力するアナログ音声信号の用途としては、例えば次段に使用する機器がアナログ仕様だった場合や、或いは図示しないオーディオアンプに供給し、そのオーディオアンプに接続されているスピーカから音声として出力させてモニタする用途等が考えられる。
【０１７４】
次に、図１１を参照して、図３に示した一時記録または記憶装置２２及び図４に示した出力インターフェース回路２３−１、２３−２、・・・・２３−ｋの動作について説明する。この例においても、転送速度を通常の転送速度の４倍で行う場合について説明する。
【０１７５】
この図１１において、ＦＬＧは図３に示したシステムコントローラ７６からバスコントローラ６４に供給されるバス転送制御用のフラグを示し、６２ｐ１、６２ｐ２、６２ｐ３及び６２ｐ４は夫々図３に示したバス６２−１、６２−２、・・・・６２−ｍ上の映像及び音声データ、これら映像及び音声データ６２ｐ１、６２ｐ２、・・・・６２ｐｍ内に示す符号は夫々再生データや記録データを示し、ＦＬＧ１、ＦＬＧ２、ＦＬＧ３及びＦＬＧ４は夫々図４に示したデコード及び書き込み制御回路９１−１、９１−２、・・・・９１−ｍが映像及び音声データ６２ｐ１、６２ｐ２、６２ｐ３及び６２ｐ４をデコードすることによって得るフラグを示し、９２Ｉ１、９２Ｉ２、９２Ｉ３及び９２Ｉ４は夫々図４に示したＦＩＦＯ９２−１、９２−２、・・・・９２−ｍに供給され、書き込まれる映像及び音声データを示し、９３ｐはバス９３から出力される映像及び音声データである。
【０１７６】
図３に示すように、システムコントローラ７６からバスコントローラ６４にはフラグＦＬＧが供給される。このフラグＦＬＧにおいてローレベル“０”の各期間は夫々タイムスロットとなり、この例では、４番目と８番目のタイムスロットが記録タイムスロット、これ以外のタイムスロットは再生タイムスロットとなる。
【０１７７】
つまり、図１１においては、バス６２−１、６２−２、６２−３及び６２−４における転送内容とディスクコントローラ８０−１、８０−２、８０−３及び８０−４によるディスクドライブ７８−１、７８−２、７８−３及び７８−４の動作を示している。つまり、ディスクドライブ７８−１では最初の再生タイムスロットで映像及び音声データＤｐ１１を、次の再生タイムスロットで映像及び音声データＤｐ２１を、次の再生タイムスロットで映像及び音声データＤｐｋ１を再生してバス６２−１に供給し、次の記録タイムスロットで入力インターフェース回路２４から供給される映像及び音声データＤｒ１をディスクドライブ７８−１にセットされているメディアに記録し、次の再生タイムスロットで映像及び音声データＤｐ１５を、次の再生タイムスロットで映像及び音声データＤｐ２４を、次の再生タイムスロットで映像及び音声データＤｐｋ５を再生してバス６２−１に供給し、次の記録タイムスロットで入力インターフェース回路２４から供給される映像及び音声データＤｒ５をディスクドライブ７８−１にセットされているメディアに記録する。
【０１７８】
ディスクドライブ７８−２では最初の再生タイムスロットで映像及び音声データＤｐ１２を、次の再生タイムスロットで映像及び音声データＤｐ２２を、次の再生タイムスロットで映像及び音声データＤｐｋ２を再生してバス６２−２に供給し、次の記録タイムスロットで入力インターフェース回路２４から供給される映像及び音声データＤｒ２をディスクドライブ７８−２にセットされているメディアに記録し、次の再生タイムスロットで映像及び音声データＤｐ１６を、次の再生タイムスロットで映像及び音声データＤｐ２５を、次の再生タイムスロットで映像及び音声データＤｐｋ６を再生してバス６２−２に供給し、次の記録タイムスロットで入力インターフェース回路２４から供給される映像及び音声データＤｒ６をディスクドライブ７８−２にセットされているメディアに記録する。
【０１７９】
ディスクドライブ７８−３では最初の再生タイムスロットで映像及び音声データＤｐ１３を、次の再生タイムスロットで映像及び音声データＤｐ２３を、次の再生タイムスロットで映像及び音声データＤｐｋ３を再生してバス６２−３に供給し、次の記録タイムスロットで入力インターフェース回路２４から供給される映像及び音声データＤｒ３をディスクドライブ７８−３にセットされているメディアに記録し、次の再生タイムスロットで映像及び音声データＤｐ１７を、次の再生タイムスロットで映像及び音声データＤｐ２６を、次の再生タイムスロットで映像及び音声データＤｐｋ７を再生してバス６２−３に供給し、次の記録タイムスロットで入力インターフェース回路２４から供給される映像及び音声データＤｒ７をディスクドライブ７８−３にセットされているメディアに記録する。
【０１８０】
ディスクドライブ７８−４では最初の再生タイムスロットで映像及び音声データＤｐ１４を、次の再生タイムスロットで映像及び音声データＤｐ２４を、次の再生タイムスロットで映像及び音声データＤｐｋ４を再生してバス６２−４に供給し、次の記録タイムスロットで入力インターフェース回路２４から供給される映像及び音声データＤｒ４をディスクドライブ７８−４にセットされているメディアに記録し、次の再生タイムスロットで映像及び音声データＤｐ１８を、次の再生タイムスロットで映像及び音声データＤｐ２７を、次の再生タイムスロットで映像及び音声データＤｐｋ８を再生してバス６２−４に供給し、次の記録タイムスロットで入力インターフェース回路２４から供給される映像及び音声データＤｒ８をディスクドライブ７８−４にセットされているメディアに記録する。
【０１８１】
さて、この例では、バス６２−１、６２−２、６２−３及び６２−４上の映像及び音声データ６２ｐ１、６２ｐ２、６２ｐ３及び６２ｐ４の内、映像及び音声データＤｐ１１〜Ｄｐ１４並びにＤｐ１５〜Ｄｐ１８を例えば映像特殊効果ミクサ２５に供給する場合について説明する。
【０１８２】
バス６２−１、６２−２、６２−３及び６２−４上の映像および音声データ６２ｐ１、６２ｐ２、６２ｐ３および６２ｐ４は夫々マトリクススイッチャ６５に供給されて選択された後に、出力インターフェース回路２３−１、２３−２、・・・・２３−ｋに供給される。
【０１８３】
図４に示した出力インターフェース回路２３−１、２３−２、・・・・２３−ｋの入力端子９１を介して各デコード回路９１−１、９１−２、・・・・９１−４に夫々バス６２−１、６２−２、６２−３及び６２−４上の映像及び音声データが供給されると、各デコード及び書き込み制御回路９１−１、９１−２、９１−３及び９１−４は夫々映像特殊効果ミクサ２５に供給するデータだけをデコードしてデータ再生フラグＦＬＧ１、ＦＬＧ２、ＦＬＧ３及びＦＬＧ４を生成し、生成したデータ再生フラグＦＬＧ１、ＦＬＧ２、ＦＬＧ３及びＦＬＧ４をＦＩＦＯ９２−１、９２−２、９２−３及び９２−４に夫々供給すると共に、書き込み制御信号をも供給する。
【０１８４】
これによって、ＦＩＦＯ９２−１、９２−２、９２−３及び９２−４には映像及び音声データ９２Ｉ１、９２Ｉ２、９２Ｉ３及び９２Ｉ４が夫々書き込まれる。従って、データ再生フラグＦＬＧ１、ＦＬＧ２、ＦＬＧ３及びＦＬＧ４はＦＩＦＯ９２−１、９２−２、９２−３及び９２−４にとってのライトイネーブル信号と考えることもできよう。つまり、データ再生フラグＦＬＧ１、ＦＬＧ２、ＦＬＧ３及びＦＬＧ４がハイレベル“１”となっているときにＦＩＦＯ９２−１、９２−２、９２−３及び９２−４に供給された映像及び音声データ６２ｐ１、６２Ｐ２、６２ｐ３及び６２ｐ４の内、映像及び音声データＤｐ１１、Ｄｐ１２、Ｄｐ１３、Ｄｐ１４、Ｄｐ１５、Ｄｐ１６、Ｄｐ１７及びＤｐ１８がＦＩＦＯ９２−１、９２−２、９２−３及び９２−４に書き込まれる。
【０１８５】
ＦＩＦＯ９２−１、９２−２、９２−３及び９２−４に書き込まれた映像及び音声データ９２Ｉ１、９２Ｉ２、９２Ｉ３及び９２Ｉ４は読み出し制御回路９４からの読み出し制御信号によって順番に読み出され、図１１に示すように、映像及び音声データＤｐ１１、Ｄｐ１２、・・・・Ｄｐ１８の順序で並べられた連続した出力となってバス９３に供給される。
【０１８６】
次に、図５を参照して図１及び図３に示した入力インターフェース回路２４の構成例について説明する。
【０１８７】
この図５において、１１０は図１及び図３に示した映像特殊効果ミクサ２５或いは外部からの６０フィールド／秒の転送速度の映像データ（ディジタルデータの場合）が供給される入力端子、１１２は図１及び図３に示した映像特殊効果ミクサ２５或いは外部からの６０フィールド／秒の転送速度の映像信号（ディジタル映像信号）が供給される入力端子、１１５は図１及び図３に示した映像特殊効果ミクサ２５或いは外部からの６０フィールド／秒の転送速度の音声データ（ディジタル音声データ）が供給される入力端子、１１７は図１及び図３に示した映像特殊効果ミクサ２５或いは外部からの６０フィールド／秒の転送速度の音声信号（アナログ音声信号）が供給される入力端子である。
【０１８８】
ここで想定しているのは、外部入力がディジタル映像データ及びディジタル音声データの場合、外部入力がアナログ映像信号及びアナログ音声信号の場合、映像特殊効果ミクサ２５がディジタル映像及び音声データを処理する仕様の場合、映像特殊効果ミクサ２５がアナログ映像及び音声信号を処理する仕様の場合である。従って、１１１はディジタル映像データ用の入力インターフェース回路（例えばＲＳ２３２Ｃ、ＲＳ４２２、ＳＣＳＩインターフェース等の各種シリアル或いはパラレルインターフェース回路）、１１２はアナログ映像信号をディジタル映像データに変換するためのＡ−Ｄコンバータ、１１５はディジタル音声データ用の入力インターフェース回路（例えばＲＳ２３２Ｃ、ＲＳ４２２、ＳＣＳＩインターフェース等の各種シリアル或いはパラレルインターフェース回路）、１１７はアナログ音声信号用をディジタル音声データに変換するためのＡ−Ｄコンバータである。
【０１８９】
入力インターフェース回路１１１の出力端をスイッチ１１４の一方の固定接点１１４ｄに接続し、Ａ−Ｄコンバータ１１３の出力端をスイッチ１１４の他方の固定接点１１４ａに接続し、スイッチ１１４の可動接点１１４ｃを圧縮符号化回路１２０の入力端に接続し、入力インターフェース回路１１６の出力端をスイッチ１１９の一方の固定接点１１９ｄに接続し、Ａ−Ｄコンバータ１１８の出力端をスイッチ１１９の他方の固定接点１１９ａに接続し、スイッチ１１９の可動接点１１９ｃをバッファメモリ１２１の入力端に接続する。
【０１９０】
１２４は記録制御通信コントローラであり、この記録制御通信コントローラ１２４は入出力端子１２５を介して図１に示した制御部２７からの記録を示す記録／再生制御信号に基いてスイッチング信号を得、このスイッチング信号をスイッチ１１４及び１１９に夫々供給すると共に、図３に示したシステムコントローラ７６にデータ記録制御信号を供給しする。また、データバッファリング制御信号をバッファメモリ１２１に供給し、スイッチ１１４やスイッチ１１９から供給される映像及び音声データのバッファメモリ１２１に対する書き込み、読み出し制御を行う。
【０１９１】
圧縮符号化回路１２０はスイッチ１１４を介して供給される映像データに対して上述したように、ＤＣＴ、量子化、ランレングスやハフマン等の可変長符号化、ＡＤＲＣ、ウエーブレット変換等の各種圧縮処理を行う場合において選択されるものであり、もしこのような圧縮を行わないのであれば、スイッチ１１４の可動接点１１４ｃはバッファメモリ１２１に接続することになる。
【０１９２】
さて、入力端子１１０及び入力インターフェース回路１１１を介してスイッチ１１４の一方の固定接点１１４ｄに映像データが供給され、入力端子１１５及び入力インターフェース回路１１６を介してスイッチ１１９の一方の固定接点１１９ｄに音声データが供給されたときには、記録制御通信コントローラ１２４からのスイッチング信号によって、各スイッチ１１４及び１１９の可動接点１１４ｃ及び１１９ｃが夫々一方の固定接点１１４ｄ及び１１９ｄに接続される。
【０１９３】
これによって、スイッチ１１４を介して入力インターフェース回路１１１からの映像データが圧縮符号化処理回路１２０に供給され、映像データは圧縮符号化処理回路１２０において圧縮符号化処理され、この後バッファメモリ１２１に供給される。また、スイッチ１１９を介して入力インターフェース回路１１６からの音声データがバッファメモリ１２１に供給される。
【０１９４】
バッファメモリ１２１には記録制御通信コントローラ１２４からのデータバッファリング制御信号が供給され、これによってバッファメモリ１２１に映像及び音声データが順次書き込まれる。バッファメモリ１２１に書き込まれた映像及び音声データはデータバッファリング制御信号によって読み出され、出力端子１２２を介して図３に示したデマルチプレクサ７５に供給される。
【０１９５】
一方、入力端子１１２及びＡ−Ｄコンバータ１１３を介してスイッチ１１４の他方の固定接点１１４ａに映像データが供給され、入力端子１１７及びＡ−Ｄコンバータ１１８を介してスイッチ１１９の他方の固定接点１１９ａに音声データが供給されたときには、記録制御通信コントローラ１２４からのスイッチング信号によって、各スイッチ１１４及び１１９の可動接点１１４ｃ及び１１９ｃが夫々他方の固定接点１１４ａ及び１１９ａに接続される。
【０１９６】
これによって、スイッチ１１４を介してＡ−Ｄコンバータ１１３からの映像データが圧縮符号化処理回路１２０に供給され、映像データは圧縮符号化処理回路１２０において圧縮符号化処理され、この後バッファメモリ１２１に供給される。また、スイッチ１１９を介してＡ−Ｄコンバータ１１８からの音声データがバッファメモリ１２１に供給される。
【０１９７】
バッファメモリ１２１には記録制御通信コントローラ１２４からのデータバッファリング制御信号が供給され、これによってバッファメモリ１２１に映像及び音声データが順次書き込まれる。バッファメモリ１２１に書き込まれた映像及び音声データはデータバッファリング制御信号によって読み出され、出力端子１２２を介して図３に示したデマルチプレクサ７５に供給される。
【０１９８】
このように、本例においては、高速転送機２１で通常の速度のｎ倍で再生して得た映像及び音声データを通常の転送速度のｎ倍の転送速度で出力し、この通常の転送速度のｎ倍の転送速度の映像及び音声データを一時記録または記憶装置２２に高速に記録或いは記憶し、この一時記録または記憶装置２２に記録または記憶した映像及び音声データを出力インターフェース回路２３−１、２３−２、・・・・２３−ｋで通常の転送速度に変換し、この通常の転送速度に変換した映像及び音声データに対して映像特殊効果ミクサ２５で映像特殊効果処理及び音声信号処理を施し、この映像特殊効果ミクサ２５の通常の転送速度の出力映像及び音声データを一時記録または記憶装置２２に記録または記憶し、この一時記録または記憶装置２２から高速に読み出し、通常の転送速度のｎ倍の転送速度の映像及び音声データとして出力し、この通常の転送速度の映像及び音声データを高速転送機２６で通常の記録速度の４倍の記録速度で記録するようにしたので、編集システムにおいてオペレータが必要とする映像特殊効果ミクサ２５における処理だけは通常の転送速度で行え、これ以外の処理においては、通常の転送速度のｎ倍の転送速度で転送ができるので、編集効率を大幅に向上させると共に、編集しようとする素材を一時記録または記憶装置２２へ記録または記憶させる時間や一時記録または記憶装置２２から読み出した映像及び音声データを高速転送機２６で記録或いは記憶する時間（オペレータにとっては待ち時間となる）を大幅に短縮することができる。また、素材を一時記録または記憶装置２２に一旦記録または記憶し、この一時記録または記憶装置２２に一旦記録または記憶した素材を編集するようにしているので、全ての編集が終了した後に高速転送機２６に編集済み素材を記録するようにすると共に、次の編集時においては、一時記録または記憶装置２２に記録または記憶されている編集済み素材に新たな編集済み素材を追加したり、或いは、新たに編集して得た素材を前に編集し記録或いは記憶されている編集済み素材のインサート部分以降を再度記録或いは記憶し、インサートすべき部分にインサート用の素材を記録或いは記憶すること等が一時記録または記憶装置２２内で行うことができるので、高速転送機２６にセットされているビデオテープカセットのテープ上にいわゆる継ぎ目をなくすようにでき、極めて精度の高い編集済みのテープ、例えばＣＭ１本化テープ等の送出用のテープを作成することができる。
【０１９９】
また、高速転送機２１及び２６をＶＴＲで構成した場合に再生系で高速に再生する場合は、通常の個数の記録／再生ヘッド３８−１及び３８−２を搭載した回転ドラムを通常の回転速度のｎ倍の回転速度で回転させ、通常の走行速度のｎ倍の走行速度で走行させている磁気テープ３９の記録トラックを走査し、各記録／再生ヘッド３８−１及び３８−２で再生して得た再生映像及び音声データをデータ抽出回路４３−１、チャンネルデコーディング回路４４−１、エラー訂正回路４５−１で夫々信号処理し、この信号処理した映像及び音声データを出力インターフェース回路４７で出力するようにしたので、通常の転送速度のｎ倍の転送速度の映像及び音声データをシリアルに出力して通常の処理時間の１／ｎの速度で一時記録または記憶装置２２に記録または記憶することができる。
【０２００】
一方、高速転送機２１及び２６をＶＴＲで構成した場合に記録系で高速に記録する場合は、通常の転送速度のｎ倍の転送速度の映像及び音声データを入力インターフェース回路３１でバッファリングし、その映像及び音声データをＥＣＣ付加回路３３−１、チャンネルコーディング回路３４−１で信号処理し、信号処理した映像及び音声データを通常の個数の記録／再生ヘッド３８−１及び３８−２を搭載した回転ドラムを通常の回転速度のｎ倍の回転速度で回転させ、通常の走行速度のｎ倍の走行速度で走行させている磁気テープ３９を走査して記録するようにしたので、通常の転送速度のｎ倍の転送速度の映像及び音声データを通常の処理時間の１／ｎの速度で磁気テープ３９上に記録することができる。
【０２０１】
また、一時記録または記憶装置２２のデマルチプレクサ６１で通常の転送速度のｎ倍の転送速度の映像及び音声データをｍ個の映像及び音声データでタイムスロット毎に分割し、分割して得られたｍ個の映像及び音声データをｍ個のディスクドライブ７８−１〜７８−ｍにセットされているメディアに記録或いは記憶し、これら記録或いは記憶したｍ個の映像及び音声データをマトリクススイッチャ６５で１つにまとめ（この１つとは、例えば１つの素材単位等）、この１つの映像及び音声データを出力インターフェース回路２３−１〜２３−ｋに選択的に供給すると共に、入力インターフェース回路２４を介して供給される映像特殊効果ミクサ２５からの映像及び音声データ、或いは外部からの音声データをデマルチプレクサ７５でｍ個の映像及び音声データに分割し、分割したｍ個の映像及び音声データをディスクドライブ７８−１〜７８−ｍにセットしてあるメディアに夫々記録或いは記憶するようにし、これらのメディアに記録或いは記憶した映像及び音声データを読み出してマルチプレクサ８１に供給し、マルチプレクサ８１においてシリアルデータに変換して出力するようにしたので、編集効率を大幅に向上させ、記録、再生処理の待ち時間を少なくとも通常の１／ｎにでき、しかも、一時記録または記憶装置２２を高速転送機２１及び２６間に介在させているので、例えば複数の編集すべき素材を夫々ディスクドライブ７８−１〜７８−ｍにセットされている各メディア或いは１つのメディアに記録または記憶し、これら一時記録または記憶装置２２に記録或いは記憶している複数の素材をパラレルに映像特殊効果ミクサ２５に供給して編集を行うことが簡単にできると共に、オペレータが何度も同じ素材で編集を行うという作業をいとも簡単に行うことができるようになる。
【０２０２】
また、出力インターフェース回路２３−１〜２３−ｋにおいて、映像及び音声データが圧縮符号化されている場合に圧縮復号化処理回路９５によって圧縮復号化処理を施せるようにし、しかも、入力インターフェース回路２４において、映像及び音声データを圧縮符号化を行えるようにしたので、映像データに対する圧縮符号化を選択できると共に、この選択の有無に関係なく、編集作業を行うことができる。また、上述の例においては、映像データにのみ圧縮符号化を行えるようにした場合について説明したが、当然音声データも映像データと同様に圧縮復号化することができることは明白であろう。このように、圧縮符号化を選択できるようにした編集システムにおいて、もしも圧縮符号化した場合においては、一時記録または記憶装置２２の記録または記憶容量を等化的に大幅に増大させることができる。
【０２０３】
また、通常の個数のヘッドを回転ドラムに登載した場合に、通常の転送速度を必要とする場合は、磁気テープ３９を通常の走行速度で、回転ドラムを通常の回転速度で回転させるようにしたので、編集作業においては、例えば確認、モニタリング等をそのための構成を追加することなく行うことができる。
【０２０４】
また、通常の個数のヘッドを回転ドラムに登載した場合に、通常の転送速度の１／ｎの転送速度を必要とする場合は、磁気テープ３９を通常の走行速度の１／ｎ倍で、回転ドラムを通常の回転速度の１／ｎ倍の回転速度で回転させるようにしたので、編集作業においては、例えばエラーの少ない映像及び音声データの選択を行うことにより、より精度の高い編集結果を得ることができる。
【０２０５】
尚、上述の例においては映像及び音声データをＮＴＳＣ方式の場合として説明したが、ＰＡＬ方式、ＳＥＣＡＭ方式、或いは高精細度テレビジョン方式でもシステムクロックの周波数、回転ドラムの回転数等、各構成要素における各種パラメータを設定すれば実現できる。勿論、映像及び音声データが高精細度テレビジョン方式の場合は、圧縮符号化、復号化処理を用いれば更に転送速度を向上させることができる。
【０２０６】
［第２実施例］
【０２０７】
次に、図１２を参照して図１に示した編集システムにおいて、高速転送機２１及び高速転送機２６を半導体メモリ装置で構成した場合の例について説明する。従って、この場合においては、図１に示したビデオテープカセット２０及び２９はこの例ではカード型のメモリとなるか、或いは高速転送機２１及び２６内部に持つ大容量のメモリ装置となるが、説明の便宜上、図１２の説明では、高速転送機２１及び２６内部に大容量のメモリ装置を搭載した場合について説明する。
【０２０８】
高速転送機２１内部に大容量のメモリ装置を持たせる場合においては、当然シリアル、或いはパラレルに映像及び音声データが通常の転送速度のｎ倍の転送速度で伝送されてくる場合となる。勿論、高速転送機２１を半導体メモリ装置で構成し、高速転送機２１に更にＶＴＲ等で構成した高速転送機からの通常の転送速度のｎ倍の転送速度の映像及び音声データを供給するようにした場合も考えられるが、このようにすると転送のための機器が１つ増加することになるので得策とはいえない。
【０２０９】
しかしながら、例えば放送局内において、或部屋にＶＴＲで構成した高速転送機を設置し、この高速転送機からの通常の転送速度のｎ倍の転送速度の映像及び音声データを別の部屋に設置してある図１に示した編集システムの高速転送機２１に供給する場合においては、一時記録または記憶装置２２に記録または記憶する前のバッファリング用として高速転送機２１を半導体メモリ装置で構成することも１つの方法である。
【０２１０】
また、高速転送機２６に関しては、半導体メモリ装置で構成することに何等問題はない。勿論、ビデオテープカセットで編集済みの媒体が必要な場合は別であるが、高速転送機２６を送出用として使用する場合や、或いは、カード型のメモリで編集済みの媒体が必要な場合では問題なく用いることができる。
【０２１１】
図１２において、１５０は高速転送機２１の場合は例えば外部からの通常の転送速度のｎ倍の転送速度（勿論、通常の転送速度でも良い）の映像及び音声データが供給される入力端子、高速転送機２６の場合は例えば一時記録または記憶装置２２からの通常の転送速度のｎ倍の転送速度の映像及び音声データが供給される入力端子である。
【０２１２】
この入力端子１５０を介して供給される映像及び音声データは時間軸伸長回路１５１に供給され（勿論、通常の転送速度のｎ倍の転送速度の場合であり、通常の転送速度の場合は必要がなくなる）、この時間軸伸長回路１５１において時間軸が伸長される。この時間軸伸長回路１５１において時間軸が伸長された映像及び音声データはＥＣＣ（エラー・コレクション・コード）付加回路１５２に供給され、このＥＣＣ付加回路１５２においてＥＣＣが付加され、この後入出力制御回路１５４に供給される。
【０２１３】
入出力制御回路１５４はＥＣＣ付加回路１５２からの映像及び音声データを半導体メモリ１５５に供給するための入出力回路と圧縮符号化回路及び復号化回路を有する。この圧縮符号化回路としては、映像及び音声データであるので、上述したＤＣＴ、量子化、ハフマンやランレングス等の可変長符号化、或いはＡＤＲＣやウエーブレット変換等を行う回路であり、復号化回路としては、圧縮符号化回路の逆の処理を行って圧縮符号化処理された映像及び音声データを伸長する回路である。
【０２１４】
また、入出力回路の構成としては、映像及び音声データを例えばフィールド毎、フレーム毎、或いはセグメント毎等で半導体メモリ１５５のどのエリアに記憶されているかを記憶するテーブル（メモリ）と、入出力の方向を切り換える切り換え回路等の構成が考えられる。
【０２１５】
半導体メモリ１５５は、例えばＳＲＡＭ（スタティックＲＡＭ）、ＤＲＡＭ（ダイナミックＲＡＭ）、ＥＥＰＲＯＭ等、ＳＲＡＭやＤＲＡＭ用のバッテリバックアップ回路（１次或いは２次電池等を含む）で構成する。この半導体メモリ１５５に対する映像及び音声データの書き込み／読み出しは、書き込み／読み出し回路１５６で行う。この書き込み／読み出し回路１５６はシステムクロック／同期信号発生回路１６０からのシステムクロック及び同期信号に基いて書き込み／読み出し制御信号を生成し、生成した書き込み／読み出し制御信号を半導体メモリ１５５に供給する。
【０２１６】
また、１５７は例えば半導体メモリ１５５の記憶データのリセットやマニュアル操作による半導体メモリ１５５での書き込み、読み出しを指示する等の各種操作内容を指示ための操作部、１５８は操作部１５７の操作に基いてシステムクロック／同期信号発生回路１６０に操作内容を通知するシステムコントローラである。また、このシステムコントローラ１５８は入出力端子１５９を介して図１に示した制御部２７に記録／再生制御信号を供給する。
【０２１７】
半導体メモリ１５５から読み出された映像及び音声データは入出力回路１５４の図示しない復号化回路によって伸長された後にエラー訂正回路１６３に供給され、エラー訂正処理が施され、この後時間軸圧縮回路１６４及び出力用信号処理回路１６５に夫々供給される。
【０２１８】
出力用信号処理回路１６５はエラー訂正回路１６３からの映像及び音声データをＮＴＳＣ方式であれば、６０フィールド／秒のディジタル或いはアナログ映像及び音声信号にし、ディジタル或いはアナログ映像及び音声信号を出力端子１６６から出力する。
【０２１９】
時間軸圧縮回路１６４はエラー訂正回路１６３からの映像及び音声データの時間軸を内部のメモリから高速（例えば書き込み時のｎ倍）に読み出すことによって圧縮し、圧縮した映像及び音声データを出力端子１６５を介して出力する。
【０２２０】
システムクロック／同期信号発生回路１６０は、入力端子１５０を介して供給される映像及び音声データから同期信号を得、これに基いてシステムクロック及び同期信号を生成し、システムクロック及び同期信号を夫々時間軸伸長回路１５１、ＥＣＣ付加回路１５２、書き込み／読み出し回路１５６、エラー訂正回路１６３、時間軸伸長回路１６４及び出力用信号処理回路１６５に夫々供給する。
【０２２１】
さて、図１に示した高速転送機２６を図１２に示した構成とした場合、高速転送機２１及び２６における映像及び音声データの書き込み、読み出し速度は書き込み、読み出し回路１５６が生成する書き込み／読み出し制御信号のタイミングを可変することによって可能となる。従って、図１２においては、時間軸伸長回路１５１と時間軸圧縮回路１６４を用いた場合について説明したが、これらの回路を用いなくとも、書き込み／読み出し回路１５６による書き込み、読み出しタイミングの変更で実現することができる。また、ＥＣＣ付加回路１５２とエラー訂正回路１６３も省略した構成としても良い。
【０２２２】
以上のように、図１に示した高速転送機２１及び２６を半導体メモリ装置を用いた構成とすれば、構成及び処理を簡単にすることができると共に、編集システムで使用した場合に処理速度を更に向上させることができる。
【０２２３】
尚、上述の例では、高速転送機２１及び２６を半導体メモリ装置で構成した場合について説明したが、現在最も映像及び音声データの媒体として用いられているビデオテープカセットが大容量のカード型メモリ（勿論、ＲＡＭ等のバックアップの必要なメモリ、或いはフラッシュメモリのようなバックアップを必要としないメモリで良い）に移行した場合に、高速転送機２１及び２６をカード型メモリ用ドライブとし、記憶媒体をカード型メモリにすれば問題なく対応することができる。
【０２２４】
また、上述の各例（高速転送機２１及び２６を夫々ＶＴＲや半導体メモリ装置で構成した例）以外に、高速転送機２１及び２６を例えば光ディスク（光磁気ディスク、ライトワンスの光ディスク、相変化メディアとしての光ディスク等）、ハードディスクを駆動するドライブで構成するようにしても良い。
【０２２５】
高速転送機２１及び２６をディスクドライブで構成する場合には、１枚のディスクに対して必要な転送速度に対応して複数のヘッドを設け、複数のヘッドからの再生データを信号処理複数の系を搭載させると共に、複数の記録すべきデータを信号処理する複数の系を搭載させるか、或いは複数のディスクに対して必要な転送速度に対応して１つずつ、或いは複数ずつのヘッドを設けると共に、記録、再生用の複数の信号処理回路を設けるといった方法で実現することができる。
【０２２６】
ディスクをメディアとすることのメリットとしては、ビデオテープカセットよりもアクセスが簡単、且つ、速いので、オペレータが編集のやり直しを行うときには簡単に行うことができると共に、高速転送機２１において必要な素材をサーチする作業を簡単に行うことができる。更に、高速転送機２１をディスクドライブで構成した場合は、１つのディスクを複数のエリアに分割して使用するといったフォーマット、或いは、複数のディスク（例えばハードディスクのように、複数のディスクを使用しているメディアの場合）を夫々１つのエリアとしたフォーマットを用いれば、図１に示した一時記録または記憶装置２２と兼用することも可能となる。
【０２２７】
また、一時記録または記憶装置２２をディスクドライブで構成した場合は、編集済みのエリアＡｒ２に記録或いは記憶されている映像及び音声データに対する編集済みの映像及び音声データの追加、インサートを行うことができ、このようにした場合は、高速転送機２６の媒体（特にビデオテープの場合）に一度に記録することができるので、いわゆる継ぎ目のないビデオテープカセット２９を得ることができ、このビデオテープカセットを再生し、再生信号をテレビジョンモニタ等に供給し、その管面に映出した場合、例えば継ぎ目を再生することによって発生する画乱れ等をなくすことができる。
【０２２８】
［第３実施例］
【０２２９】
次に、本発明編集方法及びそのシステムの第３実施例について図１３〜図１７を参照して説明する。この第３実施例においては、図１に示した高速転送機２１及び２６の構成を変えるようにする。具体的には、記録／再生ヘッドのリード角を磁気テープが走行していない停止状態において、記録／再生ヘッドがトラックをｎ本走査するよう設定する。そして、通常の転送速度のｎ倍の転送速度を必要とする場合に、回転ドラムに登載する記録／再生ヘッドの個数をｘｎ個（但しｘは通常の転送速度において必要とされるヘッドの個数である）とし、磁気テープを通常の走行速度のｎ倍で走行させ、リード角を上記記録媒体の走行を停止させた状態で上記ヘッドで上記記録媒体を走査する際に上記記録媒体上に形成されているトラックをｎｍ個（但し、ｍは通常のリード角を設定し、記録媒体の移動を停止させた状態で回転ドラムを１回転させた場合に１つのヘッドが跨ぐトラックの数）跨ぐよう設定し、回転ドラムを通常の回転速度で回転させる。尚、以下の説明では、図１に示したシステムにおいて、高速転送機２１及び２６の構成を変えた場合であり、図１に示した他の回路等の構成は同様であるから、高速転送機２１及び２６についてのみ説明する。
【０２３０】
図１３において３０は高速転送機２１であれば外部入力端子、高速転送機２６であれば図１に示した一時記録または記憶装置２２から高速に転送されてくる映像及び音声データ３１ｐが供給される入力端子である。
【０２３１】
この入力端子３０を介して高速に転送されてくる映像及び音声データ３１ｐはデマルチプレクサ３１に供給される。このデマルチプレクサ３１は高速に転送されてくる映像及び音声データを分割して出力する。分割とはいっても、例えば一時記録または記憶装置２２からのデータと考えれば、高速転送機２１の再生ヘッドの分、つまり、トラック毎のデータが１つのデータ列として供給されるので、元のデータ列、つまり、トラック毎のデータに変換（セグメント分割等と称する）される。
【０２３２】
デマルチプレクサ３１でトラック毎のデータに分割された各データは時間軸伸長回路３２−１、３２−２、・・・・３２−ｎに夫々供給される。これらの時間軸伸長回路３２−１、３２−２、・・・・３２−ｎは、夫々例えばデュアルポートメモリと書き込み／読み出し回路を有する。そしてこれらの時間軸伸長回路３２−１、３２−２、・・・・３２−ｎは、通常の転送速度のｎ倍、且つ、間欠的に供給されるデータを同じ速度でデュアルポートメモリに間欠的に書き込み、デュアルポートメモリに書き込んだデータを通常の転送速度で読み出すことにより、通常の転送速度のｎ倍の転送速度のデータの時間軸の伸長を行う。
【０２３３】
時間軸伸長回路３２−１、３２−２、・・・・３２−ｎで夫々時間軸が伸長された映像及び音声データはＥＣＣ（エラー・コレクション・コード）付加回路３３−１、３３−２、・・・・３３−ｎに夫々供給される。これらＥＣＣ付加回路３３−１、３３−２、・・・・３３−ｎは、時間軸伸長回路３２−１、３２−２、・・・・３２−ｎから供給される時間軸伸長された映像及び音声データに対してＥＣＣを付加する。このＥＣＣ付加回路３３−１、３３−２、・・・・３３−ｎで夫々ＥＣＣの付加された映像及び音声データはＣＨＣＯＤ（チャンネルコーディング）回路３４−１、３４−２、・・・・３４−ｎに夫々供給され記録変調処理（ディジタル変調処理）が施される。
【０２３４】
このチャンネルコーディング回路３４−１、３４−２、・・・・３４−ｎにおいて記録変調処理された各映像及び音声信号は夫々記録増幅回路３５−１、３５−２、・・・・３５−ｎを介してスイッチ３６−１、３６−２、・・・・３６−ｎの各可動接点３６ｃに夫々供給される。
【０２３５】
これらのスイッチ３６−１、３６−２、・・・・３６−ｎの各一方の固定接点３６ａをロータリートランス３７−１、３７−２、・・・・３７−ｎの１次側に接続し、これらのスイッチ３６−１、３６−２、・・・・３６−ｎの各他方の固定接点３６ｂをロータリートランス３７−ｎ＋１、３７−ｎ＋２、・・・・３７−２ｎの１次側に接続する。
【０２３６】
これらのスイッチ３６−１、３６−２、・・・・３６−ｎは後述するシステムコントローラ５０からのスイッチング信号ＳＷ１、ＳＷ２、・・・・ＳＷｎに基いて、可動接点３６ｃを一方または他方の固定接点３６ａまたは３６ｂに接続して記録／再生ヘッド３８−１、３８−２、・・・・３８−ｎ、・・・・３８−２ｎの切り換えを行う。また、これらロータリートランス３７−１、３７−２、・・・・３７−ｎ、・・・・３７２ｎ、図示しないテープローディング機構、記録／再生ヘッド３８−１、３８−２、・・・・３８−ｎ、・・・・３８−２ｎからなるテープトランスポート部はコントローラ４０によってコントロールされる。
【０２３７】
従って、記録時においては、記録増幅回路３５−１、３５−２、・・・・３５−ｎからの映像及び音声信号がスイッチ３６−１、３６−２、・・・・３６−ｎの各一方または他方の固定接点３６ａまたは３６ｂ並びにロータリートランス３７−１、３７−２、・・・・３７−ｎ、・・・・３７−２ｎを夫々介して記録／再生ヘッド３８−１、３８−２、・・・・３８−ｎ、・・・・３８−２ｎに順次供給され、磁気テープ３９に順次傾斜トラックを形成するように記録される。
【０２３８】
各記録／再生ヘッド３８−１、３８−２、・・・・３８−ｎ、・・・・３８−２ｎは夫々図示しない回転ドラム上において対向し、且つ、各記録／再生ヘッド３８−１、３８−２、・・・・３８−ｎ、・・・・３８−２ｎ間の間隔が均等となるように取り付ける。ここで、記録再生ヘッド３８−１、３８−２、・・・・３８−ｎ、・・・・３８−２ｎの個数は、磁気テープ３９を通常の走行速度のｎ倍で走行させ、且つ、回転ドラムの回転速度を通常の回転速度とした状態で転送速度を通常の転送速度のｎ倍とする場合には、２ｎ個となる。
【０２３９】
ここで、図１４を参照して上記記録／再生ヘッド３８−１、３８−２、・・・・３８−ｎについて説明する。
【０２４０】
図１４Ａは回転ドラム上に記録／再生ヘッド３８−１、３８−２、・・・・３８−ｎを登載した例を示し、図１４Ｂは回転ドラム２００の断面を示し、図１４Ｃは回転ドラム２００に登載した記録／再生ヘッド（記録／再生ヘッド３８−１を例として図示する）のリード角を示し、図１４Ｄは記録／再生ヘッドの通常のリード角を示し、図１４Ｅは本例による記録／再生ヘッドのリード角を示している。
【０２４１】
先ず、本例においては、図１４Ａに示すように、記録／再生ヘッド３８−１、３８−２、・・・・３８−８を、回転ドラム２００上において、互いにその間隔が均一、且つ、記録／再生ヘッド３８−１及び３８−５、記録／再生ヘッド３８−２及び３８−６、記録／再生ヘッド３８−３及び３８−７、記録／再生ヘッド３８−４及び３８−８が対向するよう回転ドラム２００に取り付けられる。
【０２４２】
次に、図１４Ｂに示すように、回転ドラム２００にはその上下に段差がつけられており、この段差部分によって磁気テープ３９が案内された場合に、記録／再生ヘッド（記録／再生ヘッド３８−１を例として図示する）が意図したリード角で磁気テープ３９を走査するようになっている。これを正面から見た図が図１４Ｃであり、ここでリード角をθとする。
【０２４３】
図１４Ｄは通常のリード角θ１を示している。通常のリード角θ１を設定した場合、磁気テープ３９の走行を停止させた状態で記録／再生ヘッドを登載した回転ドラム２００を１回転させると、記録／再生ヘッドは、実線の矢印で示すように、トラックをその下から上まで１回走査する。
【０２４４】
図１４Ｅは本例において設定するリード角の一例であり、この図では通常の転送速度の４倍の転送速度を得る場合のリード角θ２を示している。このリード角θ２を設定した場合、磁気テープ３９の走行を停止させた状態で記録／再生ヘッド３８−１、３８−２、・・・・３８−８を登載した回転ドラム２００を回転させると、記録／再生ヘッド３８−１、３８−２、・・・・３８−８は、実線の矢印で示すように、トラックＴ１、Ｔ２、Ｔ３、Ｔ４を跨いで走査する。
【０２４５】
この図１４Ｅに示すように、通常の転送速度の４倍の転送速度を得る場合は、リード角θ２を、記録／再生ヘッド３８−１、３８−２、・・・・３８−８が夫々１回の走査で４つのトラックを跨ぐリード角に設定し、磁気テープ３９の走行速度を通常の走行速度の４倍、回転ドラム２００の回転速度を通常の回転速度とすれば良い。
【０２４６】
磁気テープ３９の走行を通常の走行速度の４倍の走行速度で走行させ、回転ドラム２００の回転速度を通常の回転速度とした場合、トラックＴ１、Ｔ２、Ｔ３、Ｔ４を走査する記録／再生ヘッド３８−１、３８−２、・・・・３８−８の走査軌跡が、磁気テープ３９を停止させているときよりも立ってくる。言い換えれば、記録／再生ヘッド３８−１、３８−２、・・・・３８−８の走査軌跡が磁気テープ３９の下から上の場合、磁気テープ３９の下端と走査軌跡とでおりなす角度が大となる。そして、記録／再生ヘッド３８−１、３８−２、・・・・３８−８の内の１つの記録／再生ヘッドについて考えると、その１つの記録再生ヘッドは、トラックＴ１、Ｔ２、Ｔ３、Ｔ４の内何れか１つのトラックＴ１、Ｔ２、Ｔ３またはＴ４を、図１４Ｄに示すように、回転ドラム２００が１回転する間に１回走査することになる。
【０２４７】
以上の条件で通常の転送レートのｎ倍の転送レートを得るためには、２×ｎ個の記録／再生ヘッドが必要となる。つまり、この例では、２×ｎ個である。ここでｘを“２”としているのは、「通常のテープ走行速度」（いわゆる１倍速等）を、回転ドラム上に１８０度対向で記録／再生ヘッドが合計２個設けられている場合に、回転ドラムがｙ回転する間に磁気テープ３９上に傾斜トラックが１フレーム分形成される時間と考えると、同じ回転ドラムｙ回転の間で２×ｎ個の記録／再生ヘッドで１フレーム分の傾斜トラックを磁気テープ３９上に形成できるようにするためには、通常の走行速度のｎ倍で磁気テープ３９を走行させれば良いことになるからである。
【０２４８】
例えばコンポーネントディジタルフォーマット（Ｄ１フォーマット等）では、４つのヘッドを用いて１５０回転／秒で回転ドラムを回転させ、１フィールドにつき１０トラックの割合で傾斜トラックを形成するいわゆるセグメント記録を行っている。従って、もしも、このフォーマットでｎ倍速の転送速度を得る場合は、回転ドラムの回転速度を通常のまま、磁気テープの走行速度をｎ倍速とする場合には、ヘッドは４ｎ個必要となり、また、ヘッドを４つのままとし、磁気テープの走行速度を通常のｎ倍の速度で走行させるのであれば、回転ドラムの回転速度は通常の回転速度のｎ倍の回転速度となり、４ｎ個のヘッドを用いて転送速度を通常の転送速度の１倍とするには、テープの走行速度を１倍速、回転ドラムの回転速度を１倍速とし、４ｎ個のヘッドを用いて転送速度を通常の転送速度の１／ｎ倍とするには、テープの走行速度を１倍速、回転ドラムの回転速度を１／ｎ倍速とする。勿論Ｄ２フォーマットや他のディジタルフォーマットでも同様である。
【０２４９】
この例では、記録増幅回路３５−１、３５−２、・・・・３５−ｎに順番にチャンネルコーディング回路３３−１、３３−２、・・・・３３−ｎから記録すべき映像及び音声データが供給されるので、各記録／再生ヘッド３８−１、３８−２、・・・・３８−ｎ、・・・・３８−２ｎは各記録増幅回路３５−１、３５−２、・・・・３５−ｎによって順次記録電流が供給されることになる。
【０２５０】
さて、磁気テープ３９に記録された記録データは記録／再生ヘッド３８−１、３８−２、・・・・３８−ｎ、・・・・３８−２ｎによって順次再生される。この図１３において図示せずも、各記録／再生ヘッド３８−１、３８−２、・・・・３８−ｎ、・・・・３８−２ｎは回転ドラム上に１８０度対向、且つ、各記録／再生ヘッド３８−１、３８−２、・・・・３８−ｎ、・・・・３８−２ｎ間の間隔が均等になるように設ける。この図１３に示すように、記録系と再生系を１つのＶＴＲとして構成する場合においては、記録、再生兼用の記録／再生ヘッド３８−１、３８−２、・・・・３８−ｎ、・・・・３８−２ｎを回転ドラム上に登載るか、或いは、記録ヘッドと再生ヘッドを隣接して回転ドラムに登載すれば良い。磁気テープ３９の走行速度は上述と同様に通常の走行速度のｎ倍、回転ドラムの回転数（磁気テープ３９と記録／再生ヘッド３８−１、３８−２、・・・・３８−ｎ、・・・・３８−２ｎとの相対速度）を通常のままとすることにより、転送速度を通常のｎ倍にすることができる。
【０２５１】
記録／再生ヘッド３８−１、３８−２、・・・・３８−ｎ、・・・・３８−２ｎからの各再生信号はロータリートランス３７−１、３７−２、・・・・３７−ｎ、・・・・３７−２ｎを介してスイッチ３６−１、３６−２、・・・・３６−ｎの各一方または他方の固定接点３６ａまたは３６ｂに順次（再生された順序）供給される。これらのスイッチ３６−１、３６−２、・・・・３６−ｎには記録時と同様にシステムコントローラ５０からのスイッチング信号ＳＷ１〜ＳＷ４が供給される。これによってスイッチ３６−１、３６−２、・・・・３６−ｎは可動接点３６ｃを一方または他方の固定接点３６ａまたは３６ｂに接続する。
【０２５２】
従って、順次再生された再生信号はスイッチ３６−１、３６−２、・・・・３６−ｎの各一方または他方の固定接点３６ａまたは３６ｂ及び再生増幅回路４２−１、４２−２、・・・・４２−ｎを介してデータ抽出回路４３−１、４３−２、・・・・４３−ｎに順次供給される。これらデータ抽出回路４３−１、４３−２、・・・・４３−ｎは再生増幅回路４２−１、４２−２、・・・・４２−ｎから供給される再生信号からクロック信号を抽出し、抽出したクロック信号によって映像及び音声信号を抽出する。データ抽出回路４３−１、４３−２、・・・・４３−ｎにおいて抽出された映像及び音声データはＣＨＤＥＣ（チャンネルデコーディング）回路４４−１、４４−２、・・・・４４−ｎに供給される。
【０２５３】
チャンネルデコーディング回路４４−１、４４−２、・・・・４４−ｎは、データ抽出回路４３−１、４３−２、・・・・４３−ｎからの映像及び音声信号（ディジタル変調されている）を復調し、元の映像及び音声データを得、復調した映像及び音声データをエラー訂正回路４５−１、４５−２、・・・・４５−ｎに供給する。
【０２５４】
エラー訂正回路４５−１、４５−２、・・・・４５−ｎはチャンネルデコーディング回路４４−１、４４−２、・・・・４４−ｎから供給される映像及び音声データに付加されているＥＣＣに基いて映像及び音声データに対してエラー訂正処理を施し、エラー訂正処理を施した映像及び音声データを時間軸圧縮回路４６−１、４６−２、・・・・４６−ｎに供給する。ここで、映像及び音声データに付加したＥＣＣを用いてエラー訂正したときに、エラー訂正しきれないデータついては、エラー修整処理が施され、元のデータに最も近いデータが復元される。
【０２５５】
時間軸圧縮回路４６−１、４６−２、・・・・４６−ｎは夫々デュアルポートメモリと、書き込み／読み出し回路を有する。これら時間軸圧縮回路４６−１、４６−２、・・・・４６−ｎは、エラー訂正回路４５−１、４５−２、・・・・４５−ｎからの映像及び音声データをデュアルポートメモリに通常速度で書き込み、デュアルポートメモリから通常速度のｎ倍の速度で読み出しを行う。時間軸圧縮回路４６−１、４６−２、・・・・４６−ｎから通常速度のｎ倍の速度で読み出された映像及び音声データは、順次（圧縮回路４６−１、４６−２、・・・・４６−ｎの順序で）マルチプレクサ４７に供給される。
【０２５６】
マルチプレクサ４７は時間軸圧縮回路４６−１、４６−２、・・・・４６−ｎから順次供給される映像及び音声データを伝送順に選択して出力する。この出力は出力端子４８から出力され、図１に示した高速転送機２１であれば映像及び音声データ４８ｐとして一時記録または記憶装置２２に供給される。
【０２５７】
ところで、高速転送機２６の場合は、もし、高速転送機２６を送出システムにおける出力用とする場合は、再生映像及び音声データが圧縮されたデータであると、送出システムの次段（例えばカートシステムやマスタスイッチャや送信機）で時間軸を伸長する回路を持たなければならなくなるので、次段の系を改造しないためには、時間軸圧縮回路４６−１、４６−２、・・・・４６−ｎの出力を用いずに、エラー訂正回路４５−１、４５−２、・・・・４５−ｎの出力を用いるようにする必要がある。
【０２５８】
つまり、図１３に示す構成を図１に示した高速転送機２６に適用する場合は、エラー訂正回路４５−１、４５−２、・・・・４５−ｎの出力端を図に示すように、出力インターフェース回路４０の入力端に接続し、この出力インターフェース回路４０によって元のデータに変換して出力するようにすれば良い。このようにすれば、例えばこの出力インターフェース回路３０にテレビジョンモニタ等を接続し、その管面に映出された映像をモニタすることも可能となる。
【０２５９】
４９は図示せずも、例えば表示部及び操作キー群を有する操作部である。この操作部４９を操作するか、或いは、入力端子５１を介して図１に示した制御部２７からの記録／再生制御信号がシステムコントローラ５０に供給されることによって、システムコントローラ５０はシステムクロック／同期信号発生回路５２に制御信号を供給する。
【０２６０】
これによってシステムクロック／同期信号発生回路５２は上述したデマルチプレクサ３１、時間軸伸長回路３２−１、３２−２、・・・・３２−ｎ、ＥＣＣ付加回路３３−１、３３−２、・・・・３３−ｎ、チャンネルコーディング回路３４−１、３４−２、・・・・３４−ｎ、データ抽出回路４３−１、４３−２、・・・・４３−ｎ、チャンネルデコーディング回路４４−１、４４−２、・・・・４４−ｎ、エラー訂正回路４５−１、４５−２、・・・・４５−ｎ、時間軸圧縮回路４６−１、４６−２、・・・・４６−ｎ、マルチプレクサ４７に夫々必要なシステムクロック及び同期信号を供給する。
【０２６１】
図１３に示す構成では、記録／再生ヘッド３８−１、３８−２、・・・・３８−ｎ、・・・・３８−２ｎが１８０度対向なので、記録系、再生系共に回転ドラム半回転毎にスイッチングすることによって夫々の回路系を半減している。
【０２６２】
尚、上述の例においては、回転ドラムに記録再生兼用として２ｎ個のヘッドを登載させ、回転ドラムを通常の回転速度で回転させ、磁気テープ３９を通常の速度のｎ倍の速度で走行させて記録、再生するようにしている場合について説明したが、回転ドラムを通常の回転速度よりも高速に回転させて高速転送を行う方式、更にヘッドの数を増やし、且つ、回転ドラムの回転速度を高速にする方式を採用することもできる。従って、転送速度を通常の転送速度のｎ倍にするために一義的に記録／再生ヘッドの数を２ｎ個とするわけではない。
【０２６３】
ここで、得たい転送速度と、回転ドラムの回転速度と、記録／再生ヘッドの数の関係をいくつかのパターンを例にとり説明する。
【０２６４】
先ず、前提として、記録／再生ヘッドは回転ドラムに１つ或いは複数個回転ドラムの高さ方向に並べて配置し、この高さ方向に並べて設けられた１つ或いは複数の記録／再生ヘッドを１つの組としたとき、回転ドラムに搭載する組がいくつであっても、組と組との間は全て等間隔（或いは同じ角間隔）となるように取り付けるものとする。また、リード角は、磁気テープ３９の停止時に回転ドラム２００を１回転させる間に記録／再生ヘッドが跨ぐトラック数が、通常のトラック数を基準として設定されるものとする。ここで、通常のトラック数とは、例えば磁気テープ３９を停止させた状態で回転ドラム２００を１回転させたときに、１つのヘッドが走査するトラックの数をいうものとする。
【０２６５】
以上のことを前提にした上で、例えば通常の転送速度の４倍の転送速度を得る場合における記録／再生ヘッドの個数、磁気テープの走行速度、回転ドラムの回転速度、磁気テープの走行が停止している状態で１つの記録／再生ヘッドが跨ぐトラック数の関係を例として示す。
【０２６６】
ヘッド個数 テープ走行速度 ドラム回転速度 テープ停止時に跨ぐトラック ８４×通常速度 １×通常速度 ４×ｍ（ｍは通常の個数）
４ ４×通常速度 ２×通常速度 ２×ｍ ３ ４×通常速度 ８／３×通常速度 ３／２×ｍ ２ ４×通常速度 ４×通常速度 １×ｍ
【０２６７】
つまり、通常の転送速度を得るためのヘッドの数をｘとすると、ヘッドの数がｘｎ、テープの走行速度が通常の走行速度のｎ倍であれば回転ドラムの回転速度は通常の回転速度で良いが、ヘッドの数が少なくなればその分だけ回転ドラムの回転速度を上げなければならない。従って、磁気テープ３９を通常のｎ倍の速度で走行させる場合には、回転ドラムの通常の回転速度に対する倍率をｄ、ヘッドの数をｈとした場合、ｈｄ＝ｘｎとなるように回転ドラムの通常の速度にたいする倍率ｄ、或いはヘッドの数ｈを設定し、更に、磁気テープの走行を停止させた状態で記録／再生ヘッドが跨ぐ通常のトラックの数のＴ倍、即ち、Ｔｄ＝ｎとなるリード角を設定すれば良い。
【０２６８】
以上の説明から分かるように、上述の例においては、転送速度を通常の転送速度の４倍として説明したが、転送速度を可変することも可能である。つまり、オペレータが必要な転送速度を図１に示した操作部２８の操作キーで指定した転送速度とすることができる。
【０２６９】
これには、予め多数の記録／再生ヘッドを回転ドラムに搭載させ、指定された転送速度に応じて記録／再生ヘッドの使用数を可変する方法が採用可能である。ここでいう「使用数」とは、記録時においては、記録電流が与えられるヘッドの数をいい、再生時においては、再生信号が有効とされるヘッドの数をいう。勿論、使用する記録／再生ヘッドの数や転送速度を可変することによって、使用しなくても済む回路もでてくるので、使用する回路、使用しない回路を自動的に選択するようにする必要がある。この可変方法は、記録／再生ヘッドを予め多数回転ドラムに搭載すると共に、リード角を変えなければならない。何れにしても、このように転送速度を可変するためには、回路のシステムクロックやリード角もこれに連動して可変させるようにしなければならないが、システムクロックは周知のＶＣＯ（電圧制御発振器）や高い周波数の水晶発振器と分周器や低い周波数の水晶発振器と逓倍器があれば容易に実現できる。
【０２７０】
尚、リード角を可変させるためには、テープガイドの上下に段差を持たせ、少なくとも２つのテープガイドで磁気テープを案内するようにすると共に、この２つのテープガイドの高さをモータによって可変することによってリード角を可変することができる。
【０２７１】
次に、図１５から図１７を順次参照して、図１３に示した高速転送機２１或いは２６の動作を、ｎを“４”とした場合で説明する。ｎを“４”として転送速度を４倍にするためには、図１３に示した記録／再生ヘッドを８個用いることが必要である。従って、ｎ倍の転送速度を実現するためのヘッドの数はもし、通常の転送速度のＶＴＲで用いている記録／再生ヘッドの数が２個とすれば２ｎとなるので、以下の説明においては、図１３に示した記録／再生ヘッドは８つ、つまり、記録／再生ヘッド３８−１、３８−２、・・・・３８−８を用いる。
【０２７２】
図１５から説明する。図１５において、ＦＤはフレームデータ、ＴＤはトラック対応データ、ＴＰはトラックパターンを夫々示し、この例では、フレームデータＰ、Ｐ＋１、Ｐ＋２及びＰ＋３（図において示されている分だけで説明し、他は省略する）、Ｐ＋４、Ｐ＋５、・・・・は夫々実時間としての１フレーム期間に転送される。また、Ｄｎ／Ｆは１フレーム分のデータ、ＴＤｎに添えた括弧中の符号はヘッドの番号を夫々示し、Ｔｎ／Ｆは１フレーム分のトラックを示し、図中上段に示す実線の矢印は転送順序、下段に示す実線の矢印はテープ走行方向（この例では４倍速走行）Ｔｎは実時間の１フレーム期間に記録されるトラックを夫々示す。
【０２７３】
先ず、フレームＰ及びＰ＋１に着目すると、フレームＰは第１トラックＴＤ１（Ｈ１）、ＴＤ２（Ｈ２）、・・・・ＴＤ８（Ｈ８）、・・・・ＴＤ１２（Ｈ４）となる。つまり、フレームＰの第１トラック対応データＴＤ１は“Ｈ１”、つまり、図１３に示した記録／再生ヘッド３８−１で記録され、第２トラック対応データＴＤ２は“Ｈ２”、つまり、図１３に示した記録／再生ヘッド３８−２で記録され、・・・・第８トラック対応データＴＤ８は“Ｈ８”つまり、図１３に示した記録／再生ヘッド３８−８で記録され、・・・・第１２トラック対応データＴＤ１２は“Ｈ４”、つまり、図１３に示した記録／再生ヘッド３８−４（１２−８＝４）で記録される。
【０２７４】
続いて、フレームＰ＋１の第１トラック対応データＴＤ１は“Ｈ５”、つまり、図１３に示した記録／再生ヘッド３８−５で記録され、第２トラック対応データＴＤ２は“Ｈ６”、つまり、図１３に示した記録／再生ヘッド３８−６で記録され、・・・・第１２トラック対応データＴＤ１２は“Ｈ８”、つまり、図１３に示した記録／再生ヘッド３８−８で記録される。つまり、この例では、２フレーム分で丁度記録／再生ヘッド３８−１、３８−２、・・・・３８−８が３回ずつトラック対応分のデータを記録し、トラックを形成することになる。勿論、これはこの例におけるＶＴＲのテープフォーマットが１フレーム１２トラックとなっているからである。従って、１フレームのトラック数が８トラックの場合は１フレームで記録／再生ヘッド３８−１、３８−２、・・・・３８−８は１回ずつトラック対応データを記録し、トラックを形成する。
【０２７５】
この結果、図中斜線で示すように、テープ上にフレームＰに対応してトラックＴ１、Ｔ２、・・・・Ｔ１２が形成され、図中ドットで示すように、フレームＰ＋１に対応してトラックＴ１、Ｔ２、・・・・Ｔ１２が形成される。勿論、各フレームの各１２ずつのトラックＴ１、Ｔ２、・・・・Ｔ１２は実時間の１フレーム／４の内に記録される。従って、トラックパターンＴＰに示す全てのトラックＴ１〜Ｔ１２（図中においては全部で４８トラック分）は実時間の１フレームの期間中に記録される。
【０２７６】
次に、図１６を参照して、図１３に示した高速転送機２６に通常の転送速度４倍の速度で転送を行い、高速転送機２６の８つの記録／再生ヘッド３８−１、３８−２、・・・・３８−８で映像及び音声データを記録する場合の動作について説明する。説明を分かりやすくするために、図１６に示す信号の符号を図１３にも示している。
【０２７７】
３１ｒは図１３のデマルチプレクサ３１の入力（高速転送データ）、３２Ｉ１〜３２Ｉ４は図１３の時間軸伸長回路３２−１〜３２−４の入力、３２Ｏ１〜３２Ｏ４は図１３の時間軸伸長回路３２−１〜３２−４の時間軸伸長出力、３５Ｏ１〜３５Ｏ４は図１３の記録増幅回路３５−１〜３５−４の記録増幅出力、ＳＷ１〜ＳＷ４は図１３のスイッチ３６−１〜３６−４に供給されるシステムコントローラ５０からのスイッチング信号、３８ｐ１は図１３の記録／再生ヘッド３８−１の記録信号、３８ｒ５は図１３の記録／再生ヘッド３８−５の記録信号である。
【０２７８】
尚、記録／再生ヘッド３８−２、３８−３、・・・・３８−４、３８−６及び３８−８の記録信号はその図示を省略する。また、スイッチング信号ＳＷ１〜ＳＷ４には、各スイッチング信号ＳＷ１〜ＳＷ４のハイレベル“１”及びローレベル“０”の状態によって選択される記録／再生ヘッド３８−１、３８−２、・・・・３８−８を示すための番号“１”〜“８”を添えてある。
【０２７９】
先ず、図１３に示したデマルチプレクサ３１には、入力端子３０を介して図１に示した一時記録または記憶装置２２からの通常の転送速度の４倍の転送速度の映像及び音声データ３１ｒが供給される。図１６において映像及び音声データ３１ｒに夫々示す符号Ｔ１２Ｄ、Ｔ１Ｄ、Ｔ２Ｄ、・・・・Ｔ３Ｄは夫々第１２トラック、第１トラック、第２トラック、・・・・第３トラックの構成データを夫々示す。
【０２８０】
この映像及び音声データ３１ｒがデマルチプレクサ３１に供給されると、このでデマルチプレクサ３１によってトラック毎に分割される。分割された映像及び音声データは図１６に示すように、映像及び音声データ３２Ｉ１、３２Ｉ２、３２Ｉ３及び３２Ｉ４となり、時間軸伸長回路３２−１、３２−２、３２−３及び３２−４の入力となる。
【０２８１】
時間軸伸長回路３２−１の入力としての映像及び音声データ３２Ｉ１は斜線で示すように、各フレーム毎に、第１トラックＴ１Ｄ、第５トラックＴ５Ｄ、第９トラックＴ９Ｄといったデータとなり、時間軸伸長回路３２−２の入力としての映像及び音声データ３２Ｉ２はドットで示すように、各フレーム毎に、第２トラックＴ２Ｄ、第６トラックＴ６Ｄ、第１０トラックＴ１０Ｄといったデータとなり、時間軸伸長回路３２−３の入力としての映像及び音声データ３２Ｉ３は映像及び音声データ３２Ｉ１とは逆の斜線で示すように、各フレーム毎に、第３トラックＴ３Ｄ、第７トラックＴ７Ｄ、第１１トラックＴ１１Ｄといったデータとなり、時間軸伸長回路３２−４の入力としての映像及び音声データ３２Ｉ４は白塗り（模様なしの意味）で示すように、各フレーム毎に、第４トラックＴ４Ｄ、第８トラックＴ８Ｄ、第１２トラックＴ１２Ｄといったデータとなる。つまり、出力タイミングで見ると、第１トラックＴ１Ｄ、第２トラックＴ２Ｄ、第３トラックＴ３Ｄ、第４トラックＴ４Ｄ、第５トラックＴ５Ｄ、第６トラックＴ７Ｄ、・・・・第１１トラックＴ１１Ｄ、第１２トラックＴ１２Ｄの順序で出力され、この順序で時間軸伸長回路３２−１、３２−２、３２−３及び３２−４に順次供給される。
【０２８２】
そして、各時間軸伸長回路３２−１、３２−２、３２−３及び３２−４に供給された映像及び音声データ３２Ｉ１、３２Ｉ２、３２Ｉ３及び３２Ｉ４は、時間軸伸長回路３２−１、３２−２、３２−３及び３２−４の時間軸伸長出力３２Ｏ１、３２Ｏ２、３２Ｏ３及び３２Ｏ４のように、時間軸が伸長される。例えば、時間軸伸長回路３２−１の入力である映像及び音声データ３２Ｉ１の第１トラック、第５トラック、第９トラックの映像及び音声データＴ１Ｄ、Ｔ５Ｄ、Ｔ９Ｄは、実線の矢印で示すように、時間的に４倍の長さに伸長される。他の映像及び音声データ３２Ｉ２、３２Ｉ３及び３２Ｉ４も同様である。
【０２８３】
時間軸伸長回路３２−１、３２−２、３２−３及び３２−４の各時間軸伸長出力３２Ｏ１、３２Ｏ２、３２Ｏ３及び３２Ｏ４は夫々ＥＣＣ付加回路３３−１、３３−２、３３−３及び３３−４でＥＣＣが付加され、更にチャンネルコーディング回路３４−１、３４−２、３４−３及び３４−４においてディジタル変調され、増幅回路３５−１、３５−２、３５−３及び３５−４に供給されて記録増幅される。
【０２８４】
この記録増幅回路３５−１、３５−２、３５−３及び３５−４の出力３５Ｏ１、３５Ｏ２、３５Ｏ３及び３５Ｏ４は、図１６に示すように、時間軸伸長出力３２Ｏ１、３２Ｏ２、３２Ｏ３及び３２Ｏ４よりも遅延している。この遅延時間はＥＣＣ付加回路３３−１、３３−２、３３−３及び３３−４並びにチャンネルコーディング回路３４−１、３４−２、３４−３及び３４−４での処理によるものである。例えば、時間軸伸長回路３２−１の出力３２Ｏ１の内、第１トラックＴ１Ｄの時間軸伸長出力３２Ｏ１は、実線の矢印で示すように、この斜線部分から記録増幅回路３５−１の出力３５Ｏ１の斜線部分となる。従って、各映像及び音声データに対する遅延時間は図中符号ＲＤで示す時間となる。
【０２８５】
さて、記録増幅回路３５−１、３５−２、３５−３及び３５−４から出力された映像及び音声信号（電流信号）３５Ｏ１、３５Ｏ２、３５Ｏ３及び３５Ｏ４は、スイッチ３６−１、３６−２、３６−３及び３６−４の各可動接点３６ｃに夫々供給される。ここで、注意しなければならないのは、この例では、通常の転送速度の４倍の転送速度を得る場合について説明しているので、記録／再生ヘッドは２×ｎ、つまり、８個必要とすることである。
【０２８６】
従って、この例では、スイッチ３６−１の一方の固定接点３６ａをロータリートランス３７−１の１次側に接続し、スイッチ３６−１の他方の固定接点３６ｂをロータリートランス３７−５の１次側に接続し、スイッチ３６−２の一方の固定接点３６ａをロータリートランス３７−２の１次側に接続し、スイッチ３６−２の他方の固定接点３６ｂをロータリートランス３７−６の１次側に接続し、スイッチ３６−３の一方の固定接点３６ａをロータリートランス３７−３の１次側に接続し、スイッチ３６−３の他方の固定接点３６ｂをロータリートランス３７−７の１次側に接続し、スイッチ３６−４の一方の固定接点３６ａをロータリートランス３７−４の１次側に接続し、スイッチ３６−４の他方の固定接点３６ｂをロータリートランス３７−８の１次側に接続していることになる。
【０２８７】
システムコントローラ５０からスイッチ３６−１に供給されるスイッチング信号ＳＷ１がハイレベル“１”の場合はスイッチ３６−１は可動接点３６ｃを一方の固定接点３６ａに接続し、ローレベル“０”の場合はスイッチ３６−１は可動接点３６ｃを他方の固定接点３６ｂに接続する。従って、スイッチング信号ＳＷ１上に示すように、記録増幅回路３５−１から出力される第１トラックの映像及び音声データＴ１Ｄは記録／再生ヘッド３８−１によって磁気テープ３９上に傾斜トラックを形成するように記録され、記録増幅回路３５−１から出力される第５トラックの映像及び音声データＴ５Ｄは記録／再生ヘッド３８−５によって磁気テープ３９上に傾斜トラックを形成するように記録され、記録増幅回路３５−１から出力される第９トラックの映像及び音声データＴ９Ｄは記録／再生ヘッド３８−１によって磁気テープ３９上に傾斜トラックを形成するように記録される（これについては図示せず）。
【０２８８】
次に、システムコントローラ５０からスイッチ３６−２に供給されるスイッチング信号ＳＷ２がハイレベル“１”の場合はスイッチ３６−２は可動接点３６ｃを一方の固定接点３６ａに接続し、ローレベル“０”の場合はスイッチ３６−２は可動接点３６ｃを他方の固定接点３６ｂに接続する。従って、スイッチング信号ＳＷ２上に示すように、記録増幅回路３５−２から出力される第２トラックの映像及び音声データＴ２Ｄは記録／再生ヘッド３８−２によって磁気テープ３９上に傾斜トラックを形成するように記録され、記録増幅回路３５−２から出力される第６トラックの映像及び音声データＴ６Ｄは記録／再生ヘッド３８−６によって磁気テープ３９上に傾斜トラックを形成するように記録され、記録増幅回路３５−２から出力される第１０トラックの映像及び音声データＴ１０Ｄは記録／再生ヘッド３８−２によって磁気テープ３９上に傾斜トラックを形成するように記録される（これについては図示せず）。
【０２８９】
次に、システムコントローラ５０からスイッチ３６−３に供給されるスイッチング信号ＳＷ３がハイレベル“１”の場合はスイッチ３６−３は可動接点３６ｃを一方の固定接点３６ａに接続し、ローレベル“０”の場合はスイッチ３６−３は可動接点３６ｃを他方の固定接点３６ｂに接続する。従って、スイッチング信号ＳＷ３上に示すように、記録増幅回路３５−３から出力される第３トラックの映像及び音声データＴ３Ｄは記録／再生ヘッド３８−３によって磁気テープ３９上に傾斜トラックを形成するように記録され、記録増幅回路３５−３から出力される第７トラックの映像及び音声データＴ７Ｄは記録／再生ヘッド３８−７によって磁気テープ３９上に傾斜トラックを形成するように記録され、記録増幅回路３５−３から出力される第１１トラックの映像及び音声データＴ１１Ｄは記録／再生ヘッド３８−３によって磁気テープ３９上に傾斜トラックを形成するように記録される（これについては図示せず）。
【０２９０】
次に、システムコントローラ５０からスイッチ３６−４に供給されるスイッチング信号ＳＷ４がハイレベル“１”の場合はスイッチ３６−４は可動接点３６ｃを一方の固定接点３６ａに接続し、ローレベル“０”の場合はスイッチ３６−４は可動接点３６ｃを他方の固定接点３６ｂに接続する。従って、スイッチング信号ＳＷ４上に示すように、記録増幅回路３５−４から出力される第４トラックの映像及び音声データＴ４Ｄは記録／再生ヘッド３８−４によって磁気テープ３９上に傾斜トラックを形成するように記録され、記録増幅回路３５−４から出力される第８トラックの映像及び音声データＴ８Ｄは記録／再生ヘッド３８−８によって磁気テープ３９上に傾斜トラックを形成するように記録され、記録増幅回路３５−４から出力される第１２トラックの映像及び音声データＴ１２Ｄは記録／再生ヘッド３８−４によって磁気テープ３９上に傾斜トラックを形成するように記録される（これについては図示せず）。つまり、図１６に示すように、各記録／再生ヘッド３８−１、３８−２、・・・・３８−８によって映像及び音声信号３８ｒ１、３８ｒ２、・・・・３８ｒ８が記録される。
【０２９１】
次に、図１７を参照して図１３に示した高速転送機２１でビデオテープカセット２０を再生する場合の動作について説明する。この図１７においては、図１３に示した高速転送機２１の８つの記録／再生ヘッド３８−１、・・・・３８−８で映像及び音声データを再生し、通常の転送速度の４倍の転送速度で再生データを転送する場合の動作について説明する。説明を分かりやすくするために、図１７に示す信号の符号を図１３にも示している。
【０２９２】
図１７において、３８ｐ１は図１３に示した記録／再生ヘッド３８−１で再生された再生信号、３８ｐ５は図１３に示した記録／再生ヘッド３８−５で再生された再生信号（尚、３８ｐ２〜３８ｐ４、３８ｐ６〜３８ｐ８については図示を省略する）、ＳＷ１、ＳＷ２、ＳＷ３及びＳＷ４は夫々システムコントローラ５０からのスイッチング信号、４２Ｉ１、４２Ｉ２、４２Ｉ３及び４２Ｉ４は夫々再生増幅回路４２−１、４２−２、４２−３及び４２−４の各入力、４６Ｉ１、４６Ｉ２、４６Ｉ３及び４６Ｉ４は夫々時間軸圧縮回路４６−１、４６−２、４６−３及び４６−４の入力、４６Ｏ１、４６Ｏ２、４６Ｏ３及び４６Ｏ４は夫々時間軸圧縮回路４６−１、４６−２、４６−３及び４６−４の各時間軸圧縮出力、４８ｐはマルチプレクサ４７の出力である。
【０２９３】
ここで、注意しなければならないのは、この例では、図１６と同様に通常の転送速度の４倍の転送速度を得る場合について説明しているので、記録／再生ヘッドは２×ｎ、つまり、８個必要とすることである。従って、この例では、スイッチ３６−１の一方の固定接点３６ａをロータリートランス３７−１の１次側に接続し、スイッチ３６−１の他方の固定接点３６ｂをロータリートランス３７−５の１次側に接続し、スイッチ３６−２の一方の固定接点３６ａをロータリートランス３７−２の１次側に接続し、スイッチ３６−２の他方の固定接点３６ｂをロータリートランス３７−６の１次側に接続し、スイッチ３６−３の一方の固定接点３６ａをロータリートランス３７−３の１次側に接続し、スイッチ３６−３の他方の固定接点３６ｂをロータリートランス３７−７の１次側に接続し、スイッチ３６−４の一方の固定接点３６ａをロータリートランス３７−４の１次側に接続し、スイッチ３６−４の他方の固定接点３６ｂをロータリートランス３７−８の１次側に接続していることになる。
【０２９４】
システムコントローラ５０からスイッチ３６−１に供給されるスイッチング信号ＳＷ１がハイレベル“１”の場合はスイッチ３６−１は可動接点３６ｃを一方の固定接点３６ａに接続し、ローレベル“０”の場合はスイッチ３６−１は可動接点３６ｃを他方の固定接点３６ｂに接続する。従って、スイッチング信号ＳＷ１上に添えた数字“１”及び“５”で示すように、スイッチング信号ＳＷ１がハイレベル“１”のときは記録／再生ヘッド３８−１からの再生信号３８ｐ１が再生増幅回路４２−１に供給され、スイッチング信号ＳＷ１がローレベル“０”のときは記録／再生ヘッド３８−５からの再生信号３８ｐ５が再生増幅回路４２−１に供給される。
【０２９５】
次に、システムコントローラ５０からスイッチ３６−２に供給されるスイッチング信号ＳＷ２がハイレベル“１”の場合はスイッチ３６−２は可動接点３６ｃを一方の固定接点３６ａに接続し、ローレベル“０”の場合はスイッチ３６−２は可動接点３６ｃを他方の固定接点３６ｂに接続する。従って、スイッチング信号ＳＷ２上に添えた数字“２”及び“６”で示すように、スイッチング信号ＳＷ２がハイレベル“１”のときは記録／再生ヘッド３８−２からの再生信号３８ｐ２が再生増幅回路４２−２に供給され、スイッチング信号ＳＷ２がローレベル“０”のときは記録／再生ヘッド３８−６からの再生信号３８ｐ６が再生増幅回路４２−２に供給される。
【０２９６】
次に、システムコントローラ５０からスイッチ３６−３に供給されるスイッチング信号ＳＷ３がハイレベル“１”の場合はスイッチ３６−３は可動接点３６ｃを一方の固定接点３６ａに接続し、ローレベル“０”の場合はスイッチ３６−３は可動接点３６ｃを他方の固定接点３６ｂに接続する。従って、スイッチング信号ＳＷ３上に添えた数字“３”及び“７”で示すように、スイッチング信号ＳＷ３がハイレベル“１”のときは記録／再生ヘッド３８−３からの再生信号３８ｐ３が再生増幅回路４２−３に供給され、スイッチング信号ＳＷ３がローレベル“０”のときは記録／再生ヘッド３８−７からの再生信号３８ｐ７が再生増幅回路４２−３に供給される。
【０２９７】
次に、システムコントローラ５０からスイッチ３６−４に供給されるスイッチング信号ＳＷ４がハイレベル“１”の場合はスイッチ３６−４は可動接点３６ｃを一方の固定接点３６ａに接続し、ローレベル“０”の場合はスイッチ３６−４は可動接点３６ｃを他方の固定接点３６ｂに接続する。従って、スイッチング信号ＳＷ４上に添えた数字“４”及び“８”で示すように、スイッチング信号ＳＷ４がハイレベル“１”のときは記録／再生ヘッド３８−４からの再生信号３８ｐ４が再生信号４２Ｉ１として再生増幅回路４２−４に供給され、スイッチング信号ＳＷ４がローレベル“０”のときは記録／再生ヘッド４０−８からの再生信号４８ｐ８が再生信号４２Ｉ１として再生増幅回路４２−４に供給される。
【０２９８】
図１７に示すように、再生信号４２Ｉ１、４２Ｉ２、４２Ｉ３及び４２Ｉ４は再生増幅回路４２−１〜４２−４に夫々供給され、これら再生増幅回路４２−１〜４２−４において再生増幅された後に出力され、夫々データ抽出回路４３−１〜４３−４に供給され、このデータ抽出回路４３−１〜４３−４においてクロック信号が再生され、再生されたクロック信号でデータが抽出される。これらデータ抽出回路４３−１〜４３−４からの映像及び音声信号は夫々チャンネルデコーディング回路４４−１〜４４−４に順次供給され、このチャンネルデコーディング回路４４−１〜４４−４において復調され、元の映像及び音声データにされ、次段のエラー訂正回路４５−１〜４５−ｎに夫々供給され、上述したようにエラー訂正処理が施される。
【０２９９】
エラー訂正処理が施された映像及び音声データは夫々時間軸圧縮回路４６−１〜４６−４に供給される。この時間軸圧縮回路４６−１〜４６−４の入力４６Ｉ１、４６Ｉ２、４６Ｉ３及び４６Ｉ４は図１７に示している。
【０３００】
例えば図１７において、この例では、スイッチング信号ＳＷ１が“５”を示すローレベル“０”のときに記録／再生ヘッド３８−５からの再生信号３８ｐ５と、再生増幅回路４２−１に供給される時点の再生信号４２Ｉ１とのずれはなく、同様に、スイッチング信号ＳＷ１が“１”を示すハイレベル“１”のときに記録／再生ヘッド３８−１からの再生信号３８ｐ１と、再生増幅回路４２−１に供給される時点の再生信号４２Ｉ１とのずれはない。
【０３０１】
しかしながら、時間軸圧縮回路４６−１〜４６−４に供給される時点においては、例えば時間軸圧縮回路４６−１入力４６Ｉ１から実線の矢印で示すように、ある遅延を持つ。この遅延時間は、チャンネルデコーディング回路４４−１〜４４−４及びエラー訂正回路４５−１〜４５−４での処理時間によるものであり、図中に示す時間ＰＤはその遅延時間を示している。
【０３０２】
時間軸圧縮回路４６−１〜４６−４に夫々供給される映像及び音声データ４６Ｉ１〜４６Ｉ４は、この時間軸圧縮回路４６−１〜４６−４のデュアルポートメモリに一旦書き込まれ、この後、書き込み速度の４倍の速度で読み出されることにより、時間軸が１／４に圧縮される。この圧縮映像及び音声データ４６Ｏ１〜４６Ｏ４は順次マルチプレクサ４７に供給される。マルチプレクサ４７に供給された圧縮映像及び音声データ４６Ｏ１〜４６Ｏ４はシリアルデータに変換され、高速映像及び音声データ４８ｐとして出力端子４８から出力され、図１に示した一時記録または記憶装置２２に供給される。
【０３０３】
この図１７から分かるように、斜線で示す圧縮映像及び音声データ４６Ｏ１は第１トラック対応データＴ１Ｄ、第５トラック対応データＴ５Ｄ及び第９トラック対応データＴ９Ｄからなり、ドットで示す圧縮映像及び音声データ４６Ｏ２は第２トラック対応データＴ２Ｄ、第６トラック対応データＴ６Ｄ及び第１０トラック対応データＴ１０Ｄからなり、圧縮映像及び音声データ４６Ｏ１とは逆の斜線で示す圧縮映像及び音声データ４６Ｏ３は第３トラック対応データＴ３Ｄ、第７トラック対応データＴ７Ｄ及び第１１トラック対応データＴ１１Ｄからなり、白抜き（模様がないことを示す）圧縮映像及び音声データ４６Ｏ４は第４トラック対応データＴ４Ｄ、第８トラック対応データＴ８Ｄ及び第１２トラック対応データＴ１２Ｄからなる。
【０３０４】
このように、本例においては、高速転送機２１で通常の速度のｎ倍で再生してえた映像及び音声データを通常の転送速度のｎ倍の転送速度で出力し、この通常の転送速度のｎ倍の転送速度の映像及び音声データを一時記録または記憶装置２２に高速に記録或いは記憶し、この一時記録または記憶装置２２に記録または記憶した映像及び音声データを出力インターフェース回路２３−１、２３−２、・・・・２３−ｋで通常の転送速度に変換し、この通常の転送速度に変換した映像及び音声データに対して映像特殊効果ミクサ２５で映像特殊効果処理及び音声信号処理を施し、この映像特殊効果ミクサ２５の通常の転送速度の出力映像及び音声データを一時記録または記憶装置２２に記録または記憶し、この一時記録または記憶装置２２から高速に読み出し、通常の転送速度のｎ倍の転送速度の映像及び音声データとして出力し、この通常の転送速度の映像及び音声データを高速転送機２６で通常の記録速度の４倍の記録速度で記録するようにしたので、編集システムにおいてオペレータが必要とする映像特殊効果ミクサ２５における処理だけは通常の転送速度で行え、これ以外の処理においては、通常の転送速度のｎ倍の転送速度で転送ができるので、編集効率を大幅に向上させると共に、編集しようとする素材を一時記録または記憶装置２２へ記録または記憶させる時間や一時記録または記憶装置２２から読み出した映像及び音声データを高速転送機２６で記録或いは記憶する時間（オペレータにとっては待ち時間となる）を大幅に短縮することができる。また、素材を一時記録または記憶装置２２に一旦記録または記憶し、この一時記録または記憶装置２２に一旦記録または記憶した素材を編集するようにしているので、全ての編集が終了した後に高速転送機２６に編集済み素材を記録するようにすると共に、次の編集時においては、一時記録または記憶装置２２に記録または記憶されている編集済み素材に新たな編集済み素材を追加したり、或いは、新たに編集して得た素材を前に編集し記録或いは記憶されている編集済み素材のインサート部分以降を再度記録或いは記憶し、インサートすべき部分にインサート用の素材を記録或いは記憶すること等が一時記録または記憶装置２２内で行うことができるので、高速転送機２６にセットされているビデオテープカセットのテープ上にいわゆる継ぎ目をなくすようにでき、極めて精度の高い編集済みのテープ、例えばＣＭ１本化テープ等の送出用のテープを作成することができる。
【０３０５】
また、高速転送機２１及び２６をＶＴＲで構成した場合に再生系で高速に再生する場合は、ｘｎ個の記録／再生ヘッド３８−１、３８−２、・・・・３８−２ｎ（この場合ではｘは“２”である）を搭載した回転ドラムを通常の回転速度で回転させ、通常の走行速度のｎ倍の走行速度で走行させている磁気テープ３９の記録トラックを走査し、各記録／再生ヘッド３８−１、３８−２、・・・・３８−２ｎで再生して得た再生映像及び音声データをｎ個のデータ抽出回路４３−１〜４３−ｎ、ｎ個のチャンネルデコーディング回路４４−１〜４４−ｎ、ｎ個のエラー訂正回路４５−１〜４５−ｎ、ｎ個の時間軸圧縮回路４６−１〜４６−ｎで夫々信号処理し、この信号処理した映像及び音声データをマルチプレクサ４７でシリアルデータとして出力するようにしたので、通常の転送速度のｎ倍の転送速度の映像及び音声データをシリアルに出力して通常の処理時間の１／ｎの速度で一時記録または記憶装置２２に記録または記憶することができる。
【０３０６】
一方、高速転送機２１及び２６をＶＴＲで構成した場合に記録系で高速に記録する場合は、通常の転送速度のｎ倍の転送速度の映像及び音声データをデマルチプレクサでｎ個の映像及び音声データに分割し、ｎ個の映像及び音声データをｎ個の時間軸伸長回路３２−１〜３２−ｎ、ｎ個のＥＣＣ付加回路３３−１〜３３−ｎ、ｎ個のチャンネルコーディング回路３４−１〜３４−ｎで信号処理し、信号処理したｎ個の映像及び音声データをｘｎ個の記録／再生ヘッド３８−１、３８−２、・・・・３８−２ｎ（この場合ではｘは“２”である）を搭載した回転ドラムを通常の回転速度で回転させ、通常の走行速度のｎ倍の走行速度で走行させている磁気テープ３９を走査して記録するようにしたので、通常の転送速度のｎ倍の転送速度の映像及び音声データを通常の処理時間の１／ｎの速度で磁気テープ３９上に記録することができる。
【０３０７】
また、一時記録または記憶装置２２のデマルチプレクサ６１で通常の転送速度のｎ倍の転送速度の映像及び音声データをｍ個の映像及び音声データでタイムスロット毎に分割し、分割して得られたｍ個の映像及び音声データをｍ個のディスクドライブ７８−１〜７８−ｍにセットされているメディアに記録或いは記憶し、これら記録或いは記憶したｍ個の映像及び音声データをマトリクススイッチャ６５で１つにまとめ（この１つとは、例えば１つの素材単位等）、この１つの映像及び音声データを出力インターフェース回路２３−１〜２３−ｋに選択的に供給すると共に、入力インターフェース回路２４を介して供給される映像特殊効果ミクサ２５からの映像及び音声データ、或いは外部からの音声データをデマルチプレクサ７５でｍ個の映像及び音声データに分割し、分割したｍ個の映像及び音声データをディスクドライブ７８−１〜７８−ｍにセットしてあるメディアに夫々記録或いは記憶するようにし、これらのメディアに記録或いは記憶した映像及び音声データを読み出してマルチプレクサ８１に供給し、マルチプレクサ８１においてシリアルデータに変換して出力するようにしたので、編集効率を大幅に向上させ、記録、再生処理の待ち時間を少なくとも通常の１／ｎにでき、しかも、一時記録または記憶装置２２を高速転送機２１及び２６間に介在させているので、例えば複数の編集すべき素材を夫々ディスクドライブ７８−１〜７８−ｍにセットされている各メディア或いは１つのメディアに記録または記憶し、これら一時記録または記憶装置２２に記録或いは記憶している複数の素材をパラレルに映像特殊効果ミクサ２５に供給して編集を行うことが簡単にできると共に、オペレータが何度も同じ素材で編集を行うという作業をいとも簡単に行うことができるようになる。
【０３０８】
また、出力インターフェース回路２３−１〜２３−ｋにおいて、映像及び音声データが圧縮符号化されている場合に圧縮復号化処理回路９５によって圧縮復号化処理を施せるようにし、しかも、入力インターフェース回路２４において、映像及び音声データを圧縮符号化を行えるようにしたので、映像データに対する圧縮符号化を選択できると共に、この選択の有無に関係なく、編集作業を行うことができる。また、上述の例においては、映像データにのみ圧縮符号化を行えるようにした場合について説明したが、当然音声データも映像データと同様に圧縮復号化することができることは明白であろう。このように、圧縮符号化を選択できるようにした編集システムにおいて、もしも圧縮符号化した場合においては、一時記録または記憶装置２２の記録または記憶容量を等化的に大幅に増大させることができる。
【０３０９】
また、ｘｎ個のヘッドを回転ドラムに登載した場合に、通常の転送速度を必要とする場合は、磁気テープ３９を通常の走行速度で、回転ドラムを通常の回転速度で回転させるようにしたので、編集作業においては、例えば確認、モニタリング等をそのための構成を追加することなく行うことができる。
【０３１０】
また、ｘｎ個のヘッドを回転ドラムに登載した場合に、通常の転送速度の１／ｎの転送速度を必要とする場合は、磁気テープ３９を通常の走行速度で、回転ドラムを通常の回転速度の１／ｎの速度で回転させるようにしたので、編集作業においては、例えばエラーの少ない映像及び音声データの選択を行うことにより、より精度の高い編集結果を得ることができる。
【０３１１】
尚、上述の例においては映像及び音声データをＮＴＳＣ方式の場合として説明したが、ＰＡＬ方式、ＳＥＣＡＭ方式、或いは高精細度テレビジョン方式でもシステムクロックの周波数、記録／再生ヘッド３８−１〜３８−２ｎの個数、回転ドラムの回転数等、各構成要素における各種パラメータを設定すれば実現できる。勿論、映像及び音声データが高精細度テレビジョン方式の場合は、圧縮符号化、復号化処理を用いれば更に転送速度を向上させることができる。
【０３１２】
［第４実施例］
【０３１３】
尚、上記第３実施例においては、回転ドラム２００に記録／再生ヘッド３８−１、３８−２、・・・・３８−８を等間隔となるよう配置した場合について説明したが、４つずつを組として２つの組を互いに対向するように配置しても良い。この場合、等間隔で配置した場合と異なり、記録、再生のタイミングが組毎に異なることになる。効果としては、少なくとも１つの組を構成する４つのヘッドによる記録、再生タイミングが同じになるので、処理し易くなること、ヘッドの取り付けが組毎（４つのヘッドを１つのヘッドマウントに登載している場合）で済み組立工程が簡略化されること等があげられる。
【０３１４】
［第５実施例］
【０３１５】
また、上記第３実施例においてはリード角を設定する場合について説明したが、高速転送機２１において、高速に記録したテープを高速に再生する場合は、リード角は通常の設定のままで良い。
【０３１６】
【発明の効果】
上述せる本発明編集システムによれば、高速再生部により、編集すべき情報を通常の再生速度のｎ倍の速度で再生して情報を通常の転送速度のｎ倍の転送速度で出力し、この高速再生部からの再生情報を記録或いは記憶部で記録或いは記憶し、この記録或いは記憶部から読み出された情報に信号処理部で所定の信号処理を施し、この信号処理部から出力され、記録或いは記憶部に記録或いは記憶された情報が読み出されたときに、この読み出された情報を高速記録或いは記憶部で通常の記録或いは記憶速度のｎ倍の速度で記録或いは記憶し、記録或いは記憶部、信号処理部、高速記録或いは記憶部を制御部で制御するようにしたので、情報を編集する際に、編集すべき情報を再生し、その再生情報を転送する速度及び編集の後に転送し、記録する速度を大幅に向上させることができ、これによって、編集システムに適用した場合には、オペレータに作業し易い環境を提供できると共に、編集精度及び編集効率を大幅に向上させることができると共に、例えば編集済み素材に対する追加、インサート等の各種処理を後から行って、この後に編集素材を記録或いは記憶することによって最終的に得られた媒体上でのいわゆる継ぎ目等の発生をなくすことができる等、編集処理に応用性を持たせることができるという効果がある。
更に本発明の第１の編集システムによれば、半導体メモリを用いた場合においても、編集すべき情報の再生、転送を通常のｎ倍の速度で行うことができ、これによって、上述の効果に加え、編集システムにおける編集作業効率を向上させることができると共に、編集システムの構成を簡単にすることができるという効果がある。
更に本発明の第２の編集システムによれば、半導体メモリを用いた場合においても、編集済み情報の記録、転送を通常の速度のｎ倍の速度で行うことができ、編集済み情報の再生時には、通常の速度の再生信号を得ることができ、これによって、上述の効果に加え、簡単な構成、且つ、簡単な処理で必要とする転送速度を得ることができ、編集作業効率を向上させることができるという効果がある。
【０３２５】
更に上述において本発明編集システムによれば、通常の転送速度のｎ倍の転送速度の情報を第１のデマルチプレクサでｎ個の情報に分割し、通常の転送速度の入力情報を第２のデマルチプレクサでｎ個の情報に分割し、第１または第２のデマルチプレクサからの各ｎ個の情報を記録或いは記憶手段で記録或いは記憶し、記録或いは記憶手段から読み出された複数個の情報をマトリクススイッチャで選択的に出力し、この記録或いは記憶手段から読み出された通常の転送速度のｎ倍の転送速度のｎ個の情報をマルチプレクサで元の情報に変換して出力するようにしたので、通常の転送速度のｎ倍の転送速度の情報を記録或いは記憶し、記録或いは記憶した通常の転送速度のｎ倍の転送速度の情報を読み出し、通常の転送速度のｎ倍の転送速度の情報を出力することができ、これによって、上述の効果に加え、編集システム内でのデータのマッチングを良好に行うことができ、これによって、編集効率の良い編集システムを得ることができるという効果がある。
【０３２６】
更に上述において本発明編集システムによれば、第１及び第２のデマルチプレクサ、記録或いは記憶手段とマトリクススイッチャとの間を第１または第２のデマルチプレクサ、記録或いは記憶手段からの情報の個数と同一の数のバスで接続し、バス上における入出力情報の時間的配分を制御部で制御するようにしたので、記録或いは記憶部における記録或いは記憶、読み出し等を効率良く行うことができ、これによって、上述の効果に加え、同時に複数の処理、例えば記録、再生、編集を行うことができるという効果がある。
【０３２９】
更に上述において本発明編集システムによれば、記録或いは記憶部の出力側及び信号処理部の入力側間に設けた伸長手段により、高速再生部からの通常速度のｎ倍の転送速度の情報を時間的に伸長し、記録或いは記憶部の入力側及び信号処理部の出力側或いは外部との間に設けた圧縮手段で信号処理部の出力或いは外部からの入力情報を時間的に圧縮するようにしたので、記録或いは記憶部に記録或いは記憶した通常速度のｎ倍の転送速度の情報を信号処理部で使用できるように出力でき、記録或いは記憶部から通常の転送速度のｎ倍の転送速度で情報を出力し、高速記録或いは記憶部に供給し、高速記録或いは記憶させることができ、これによって、上述の効果に加え、編集システムに通常の転送速度の機器を使用することができ、この機器を新たな仕様にしたり、新たにこの仕様の機器を製造しなくいで編集効率の良い編集システムを得ることができるという効果がある。
【０３３０】
更に上述において本発明編集システムによれば、記録或いは記憶部から読み出された通常の転送速度のｎ倍の転送速度の情報をバッファメモリ手段に記憶し、このバッファメモリ手段からの通常の転送速度の出力情報を変速再生処理手段で変速再生処理し、この変速再生処理手段からの出力情報を出力手段で出力し、制御部からの制御信号に基いて再生制御通信手段がバッファメモリ手段変速再生処理部を制御するようにしたので、記録或いは記憶部に記録或いは記憶されている通常の転送速度のｎ倍の転送速度の情報を通常の転送速度で出力でき、これによって、上述の効果に加え、編集システムにおける伸長処理を簡単な構成で行うことができるという効果がある。
【０３３２】
更に上述において本発明編集システムによれば、信号処理部或いは外部からの通常の転送速度の情報を入力手段で入力し、この入力手段からの出力情報をバッファメモリに一時的に記憶し、入力手段及びバッファメモリを記録制御通信手段で制御するようにしたので、記録或いは記憶部に記録或いは記憶されている通常の転送速度の情報を通常の転送速度のｎ倍の転送速度で出力することができ、これによって、上述の効果に加え、記録或いは記憶部において高速に記録または記憶することができ、編集システムにおいて異なる転送速度のデータのマッチングを図ることができるという効果がある。
【図面の簡単な説明】
【図１】本発明編集方法及びシステムの第１実施例を示す構成図である。
【図２】本発明編集方法及びシステムの第１実施例の要部の一例を示し、図１に示した高速転送機２１及び２６を１つの装置とした場合の構成図である。
【図３】本発明編集方法及びシステムの第１実施例の要部の一例を示し、図１に示した一時記録または記憶装置２２の構成図である。
【図４】本発明編集方法及びシステムの第１実施例の要部の一例を示し、図１に示した入力インターフェース回路２４の構成図である。
【図５】本発明編集方法及びシステムの第１実施例の要部の一例を示し、図１に示した出力インターフェース回路２３−１、２３−２、・・・・２３−ｋの構成図である。
【図６】本発明編集方法及びシステムの第１実施例の説明に供する転送フォーマットとテープ記録トラックパターンの関係を説明するための説明図である。
【図７】本発明編集方法及びシステムの第１実施例の説明に供する高速転送機の記録系における信号処理を説明するためのタイミングチャートである。
【図８】本発明編集方法及びシステムの第１実施例の説明に供する高速転送機の再生系における信号処理を説明するためのタイミングチャートである。
【図９】本発明編集方法及びシステムの第１実施例の説明に供する一時記録または記憶装置における高速転送記録或いは記憶動作を説明するためのタイミングチャートである。
【図１０】本発明編集方法及びシステムの第１実施例の説明に供する一時記録または記憶装置における高速転送再生動作を説明するためのタイミングチャートである。
【図１１】本発明編集方法及びシステムの第１実施例の説明に供する入力インターフェース回路２４における通常速度再生、記録時の動作を説明するためのタイミングチャートである。
【図１２】本発明編集方法及びシステムの第２実施例の要部の構成例を示す構成図である。
【図１３】本発明編集方法及びシステムの第３実施例の要部の一例を示し、図１に示した高速転送機２１及び２６を１つの装置とした場合の構成図である。
【図１４】Ａ 本発明編集方法及びシステムの第３実施例の説明に供する回転ドラムへの記録／再生ヘッドの登載例を示す説明図である。
Ｂ 本発明編集方法及びシステムの第３実施例の説明に供する回転ドラムの段差を説明するための説明図である。
Ｃ 本発明編集方法及びシステムの第３実施例の説明に供するリード角を説明するための説明図である。
Ｄ 本発明編集方法及びシステムの第３実施例の説明に供する通常のリード角の一例を説明するための説明図である。
Ｅ 本発明編集方法及びシステムの第３実施例の説明に供する通常のリード角の４倍のリード角（即ち通常の転送速度の４倍の転送速度を得る場合）の一例を説明するための説明図である。
【図１５】本発明編集方法及びシステムの第３実施例の説明に供する転送フォーマットとテープ記録トラックパターンの関係を説明するための説明図である。
【図１６】本発明編集方法及びシステムの第３実施例の説明に供する高速転送機の記録系における信号処理を説明するためのタイミングチャートである。
【図１７】本発明編集方法及びシステムの第３実施例の説明に供する高速転送機の再生系における信号処理を説明するためのタイミングチャートである。
【図１８】従来の編集システムの例を示す構成図である。
【符号の説明】
２０、２９ ビデオテープカセット、  ２１、２６ 高速転送機、  ２２ 一時記録または記憶装置、  ２３−１、２３−２、・・・・２３−ｋ、９８、１０２ 出力インターフェース回路、  ２４、１１１、１１６ 入力インターフェース回路
２５ 映像特殊効果ミクサ、  ２７、４９、１５７ 制御部、  ２８ 操作部、  ３１、６１、７５ デマルチプレクサ、  ３２−１、３２−２、・・・・３２−ｎ、１５１ 時間軸伸長回路、  ３３−１、３３−２、・・・・３３−ｎ、１５２ ＥＣＣ（エラー・コレクション・コード）付加回路、  ３４−１、３４−２、・・・・３４−ｎ ＣＨＣＯＤ（チャンネルコーダ）、  ３５−１、３５−２、・・・・３５−ｎ 記録増幅回路、  ３６−１、３６−２、・・・・３６−ｎ スイッチ
３７−１、３７−２、・・・・３７−ｎ、３７−ｎ＋１、３７−ｎ＋２、・・・・３７−２ｎ ロータリートランス、  ３８−１、３８−２、・・・・３８−ｎ、３８−ｎ＋１、・・・・３８−２ｎ記録／再生ヘッド、  ３９ 磁気テープ、４２−１、４２−２、・・・・４２−ｎ 再生増幅回路、  ４３−１、４３−２、・・・・４３−ｎ データ抽出回路、  ４４−１、４４−２、・・・・４４−ｎ ＣＨＤＥＣ（チャンネルデコーダ）、  ４５−１、４５−２、・・・・４５−ｎ、１６３ エラー訂正回路、  ４６−１、４６−２、・・・・４６−ｎ、１６４ 時間軸圧縮回路、  ４７ マルチプレクサ、  ５０、７６、１５８ システムコントローラ、  ５２、１６０ システムクロック／同期信号発生回路、  ６５ マトリクススイッチャ、  ７８−１、７８−２、・・・・７８−ｍ ディスクドライブ、  ８０−１、８０−２、・・・・８０−ｍ ディスクコントローラ、  ９１−１、９１−２、・・・・９１−ｍ デコード及び書き込み制御回路、９２−１、９２−２、・・・・９２−ｍ ＦＩＦＯ（ファースト・イン・ファースト・アウトメモリ）、  ９４ 読み出し制御回路、  ９５ 圧縮復号化処理回路、  ９６、９７ 変速再生処理回路、  １００、１０４ Ｄ−Ａコンバータ、  １０７ 再生制御通信コントローラ、  １１３、１１８ Ａ−Ｄコンバータ、  １２０ 圧縮符号化回路、  １２１ バッファメモリ、  １２３ 記録制御通信コントローラ、  １５２ ＥＣＣ（エラー・コレクション・コード）付加回路、  １５４ 入出力制御回路、  １５５ 半導体メモリ、  １５６ 書き込み／読み出し回路
【図１】
0003832444.tif 000002
【図２】
0003832444.tif 000003
【図３】
0003832444.tif 000004
【図４】
0003832444.tif 000005
【図５】
0003832444.tif 000006
【図６】
0003832444.tif 000007
【図７】
0003832444.tif 000008
【図８】
0003832444.tif 000009
【図９】
0003832444.tif 000010
【図１０】
0003832444.tif 000011
【図１１】
0003832444.tif 000012
【図１２】
0003832444.tif 000013
【図１３】
0003832444.tif 000014
【図１４】
0003832444.tif 000015
【図１５】
0003832444.tif 000016
【図１６】
0003832444.tif 000017
【図１７】
0003832444.tif 000018
【図１８】
0003832444.tif 000019